(57)【要約】【課題】ユーザ端末装置と、前記ユーザ端末装置へ地図を用いた情報を提供するサーバとが通信ネットワークを介して接続し、サーバにおいて、提供する情報の基になる情報を作成する情報提供サービスシステム及びサーバを提供する。【解決手段】情報提供者は、情報提供者端末装置３を操作してインターネット２を介してサーバ５に接続し、入力画面に情報を入力する。サーバ５では、入力された情報（個別ホームページ用入力データ１１１、個別アンケート入力データ１２１、個別地図入力データ１３１）を記憶し、これらのデータから入力情報作成処理で入力情報１０を作成する。そして、基本情報作成処理で、キー管理情報８１に従い入力情報１０と基礎情報２０とを関連づけ、「地図情報提供サービスシステム」及び「塗り分け地図情報提供サービスシステム」で使用する基本情報４０を作成する。【選択図】  図２
2004362158.tif 000002
【特許請求の範囲】
【請求項１】
通信ネットワークに接続可能なユーザ端末装置と、前記ユーザ端末装置へ地図を用いた情報を提供するサーバとが通信ネットワークを介して接続した情報提供サービスシステムであって、
前記サーバは、
情報提供者から提供された情報を入力する入力手段と、
当該入力手段で入力された情報である入力情報を記憶する入力情報記憶手段と、
住所に関する情報である住所基礎情報を記憶する住所基礎情報記憶手段と、
地図上に表示される施設又は場所の分類に関する分類基礎情報を記憶する分類基礎情報記憶手段と、
前記入力情報記憶手段に記憶された前記入力情報と、前記住所基礎情報記憶手段に記憶された前記住所基礎情報と、前記分類基礎情報記憶手段に記憶された前記分類基礎情報とを関連付けるキー情報を記憶するキー情報記憶手段と、
当該キー情報記憶手段に記憶された前記キー情報に基づいて、前記入力情報、前記住所基礎情報又は前記分類基礎情報から地図上の同一の施設又は場所に関するデータを抽出して、前記ユーザ端末装置へ提供する情報を作成する際に使用する情報である基本情報を作成する基本情報作成手段と、
当該基本情報作成手段で作成された前記基本情報を記憶する基本情報記憶手段と
を備えたことを特徴とする情報提供サービスシステム。
【請求項２】
前記住所基礎情報は、当該住所基礎情報の個々のデータを識別する住所識別符号、住所、名称、地図上の位置を示す座標、地図上の位置を示す符号、及び、電話番号のうちの少なくとも１つを含むことを特徴とする請求項１に記載の情報提供サービスシステム。
【請求項３】
前記分類基礎情報は、地図上に表示される施設又は場所を部類する区分を示す区分識別符号、区分の名称、区分の内容に係わりの深い単語であるキーワード、当該区分に属する施設又は場所を地図上で示す際に用いられる画像データ、当該画像データの名称、及び、前記画像データの保存場所を示すデータのうちの少なくとも１つを含むことを特徴とする請求項１又は２に記載の情報提供サービスシステム。
【請求項４】
前記入力情報は、
当該データを識別するためのホームページ用データ識別符号、入力日付、施設又は場所の名称、電話番号、当該ホームページ用データの属する分類を示す区分の識別符号、区分の名称、提供する情報の内容、アンケートの設問番号、アンケートの質問内容及びアンケートの回答のうちの少なくとも１つを含むホームページ用入力情報、
当該データを識別するためのアンケートデータ識別符号、アンケートを集計する際の集計区分、集計方法を示す符号、アンケートの回答、当該アンケートの属する分類を示す区分の識別符号、区分の名称、のうちの少なくとも１つを含むアンケート入力情報、
又は、
当該データを識別するための地図データ識別符号、当該地図データの属する分類を示す区分の識別符号、区分の名称、住所、電話番号、当該データが示す施設又は場所のホームページのＵＲＬ、前記ホームページの基になるデータが記憶されている前記ホームページ用入力情報の識別符号のうちの少なくとも１つを含む地図入力情報のうちの少なくとも１つであることを特徴とする請求項１乃至３のいずれかに記載の情報提供サービスシステム。
【請求項５】
前記基本情報は、
通信ネットワークに接続可能なユーザ端末装置と、地図を分割した領域に関する情報を提供するサーバとが通信ネットワークを介して接続し、前記サーバが、前記ユーザ端末装置で選択された、複数の領域に分割された地図のうちの少なくとも１つの領域を、前記ユーザ端末装置で選択された情報の種類に関して塗り分けられた塗り分け地図を作成し、前記ユーザ端末装置へ提供する塗り分け地図情報提供サービスシステムにおいて、
前記塗り分け地図を作成する際に用いられる塗り分け地図基本情報であって、
当該塗り分け地図基本情報の個々のデータを識別する塗り分け地図識別符号、前記地図上に表示される施設又は場所の名称、住所、電話暗号、当該施設又は場所が分類された区分を示す区分識別符号、前記アンケート入力情報の個別のデータを識別するためのアンケートデータ識別符号、及び、前記地図入力情報の個別のデータを識別するための地図データ識別符号のうちの少なくとも１つを含むことを特徴とする請求項１乃至４のいずれかに記載の情報提供サービスシステム。
【請求項６】
前記基本情報は、
通信ネットワークに接続可能なユーザ端末装置と、地図と共に、地図上に表示される施設又は場所を紹介する紹介情報を提供するサーバとが通信ネットワークを介して接続した地図情報提供サービスシステムにおいて、
前記紹介情報を作成する際に用いられる前記紹介基本情報であって、
地図上の位置を示す座標、地図上の位置を示す符号、当該施設若しくは場所が分類された区分を示す分類識別符号、住所、及び、前記ホームページ用入力情報のホームページデータ識別符号のうちの少なくとも１つを含むことを特徴とする請求項１乃至５のいずれかに記載の情報提供サービスシステム。
【請求項７】
前記情報提供サービスシステムは、
通信ネットワークに接続可能であり、前記ユーザ端末装置へ提供する情報を入力する情報提供者端末装置を備え、
前記サーバは、
情報提供者が提供する情報を入力する入力画面を生成するための入力画面情報作成する入力画面情報作成手段と、
当該入力画面情報作成手段で作成された前記入力画面情報を前記情報提供者端末装置へ送信する入力画面情報送信手段と、
前記情報提供者端末装置において前記入力画面に入力された入力データを前記情報提供者端末装置から受信する入力データ受信手段と
を備え、
前記情報提供者端末装置は、
前記入力画面送信手段から送信された前記入力画面情報を受信する入力画面情報受信手段と、
当該入力画面情報受信手段が受信した前記入力画面情報から前記入力画面を生成する入力画面生成手段と、
当該入力画面生成手段が生成した入力画面を表示する画面表示手段と、
当該画面表示手段に表示されている前記入力画面にデータを入力するデータ入力手段と、
当該入力情報入力手段で入力された前記入力データを前記入力データ受信手段へ送信する入力データ送信手段と
を備え、
前記サーバの前記入力手段は前記入力データ受信手段であり、前記入力データが前記入力情報として前記入力情報記憶手段に記憶されることを特徴とする請求項１乃至６のいずれかに記載の情報提供サービスシステム。
【請求項８】
前記サーバは、
既存のホームページのＵＲＬ、及び、当該ホームページに記載されている施設又は場所を含む情報である既存ホームページ情報を記憶する既存ホームページ情報記憶手段と、
当該既存ホームページ情報記憶手段に記憶されているＵＲＬのホームページに記載された文言のなかに含まれている、前記分類基礎情報のキーワードの数を前記区分毎に計数するキーワード計数手段と、
当該キーワード計数手段により計数された前記区分毎の数を比較し、最も計数された数が多かった区分を、当該ホームページの属する区分と決定する区分決定手段と、
当該区分決定手段により決定された区分、及び、当該ホームページに記載されている施設又は場所の名称を、前記入力情報記憶手段に記憶されている前記入力情報に記憶させる既存ホームページ情報反映手段と
を備え、
前記サーバの前記入力手段は、前記既存ホームページ情報反映手段であることを特徴とする請求項１乃至７のいずれかに記載の情報提供サービスシステム。
【請求項９】
前記入力画面は、入力内容毎に複数存在し、前記入力情報も入力内容毎に複数存在していることを特徴とする請求項１乃至８のいずれかに記載の情報提供サービスシステム。
【請求項１０】
通信ネットワークに接続可能なユーザ端末装置と、前記ユーザ端末装置へ地図を用いた情報を提供するサーバとが通信ネットワークを介して接続した情報提供サービスシステムを構成するサーバであって、
情報提供者から提供された情報を入力する入力手段と、
当該入力手段で入力された情報である入力情報を記憶する入力情報記憶手段と、
住所に関する情報である住所基礎情報を記憶する住所基礎情報記憶手段と、
地図上に表示される施設又は場所の分類に関する分類基礎情報を記憶する分類基礎情報記憶手段と、
前記入力情報記憶手段に記憶された前記入力情報と、前記住所基礎情報記憶手段に記憶された前記住所基礎情報と、前記分類基礎情報記憶手段に記憶された前記分類基礎情報とを関連付けるキー情報を記憶するキー情報記憶手段と、
当該キー情報記憶手段に記憶された前記キー情報に基づいて、前記入力情報、前記住所基礎情報又は前記分類基礎情報から地図上の同一の施設又は場所に関するデータを抽出して、前記ユーザ端末装置へ提供する情報を作成する際に使用する情報である基本情報を作成する基本情報作成手段と、
当該基本情報作成手段で作成された前記基本情報を記憶する基本情報記憶手段と
を備えたことを特徴とするサーバ。
【請求項１１】
前記住所基礎情報は、当該住所基礎情報の個々のデータを識別する住所識別符号、住所、名称、地図上の位置を示す座標、地図上の位置を示す符号、及び、電話番号のうちの少なくとも１つを含むことを特徴とする請求項１０に記載のサーバ。
【請求項１２】
前記分類基礎情報は、地図上に表示される施設又は場所を部類する区分を示す区分識別符号、区分の名称、区分の説明、当該区分に属する施設又は場所を地図上で示す際に用いられる画像データ、当該画像データの名称、及び、前記画像データの保存場所を示すデータのうちの少なくとも１つを含むことを特徴とする請求項１０又は１１に記載のサーバ。
【請求項１３】
前記入力情報は、
当該データを識別するためのホームページ用データ識別符号、入力日付、施設又は場所の名称、電話番号、当該ホームページ用データの属する分類を示す区分の識別符号、区分の名称、提供する情報の内容、アンケートの設問番号、アンケートの質問内容及びアンケートの回答のうちの少なくとも１つを含むホームページ用入力情報、
当該データを識別するためのアンケートデータ識別符号、アンケートを集計する際の集計区分、集計方法を示す符号、アンケートの回答、当該アンケートの属する分類を示す区分の識別符号、区分の名称、のうちの少なくとも１つを含むアンケート入力情報、
又は、
当該データを識別するための地図データ識別符号、当該地図データの属する分類を示す区分の識別符号、区分の名称、住所、電話番号、当該データが示す施設又は場所のホームページのＵＲＬ、前記ホームページの基になるデータが記憶されている前記ホームページ用入力情報の識別符号のうちの少なくとも１つを含む地図入力情報のうちの少なくとも１つであることを特徴とする請求項１０乃至１２のいずれかに記載のサーバ。
【請求項１４】
前記基本情報は、
通信ネットワークに接続可能なユーザ端末装置と、地図を分割した領域に関する情報を提供するサーバとが通信ネットワークを介して接続し、前記サーバが、前記ユーザ端末装置で選択された、複数の領域に分割された地図のうちの少なくとも１つの領域を、前記ユーザ端末装置で選択された情報の種類に関して塗り分けられた塗り分け地図を作成し、前記ユーザ端末装置へ提供する塗り分け地図情報提供サービスシステムにおいて、
前記塗り分け地図を作成する際に用いられる塗り分け地図基本情報であって、
当該塗り分け地図基本情報の個々のデータを識別する塗り分け地図識別符号、前記地図上に表示される施設又は場所の名称、住所、電話暗号、当該施設又は場所が分類された区分を示す区分識別符号、前記アンケート入力情報の個別のデータを識別するためのアンケートデータ識別符号、及び、前記地図入力情報の個別のデータを識別するための地図データ識別符号のうちの少なくとも１つを含むことを特徴とする請求項１０乃至１３のいずれかに記載のサーバ。
【請求項１５】
前記基本情報は、
通信ネットワークに接続可能なユーザ端末装置と、地図と共に、地図上に表示される施設又は場所を紹介する紹介情報を提供するサーバとが通信ネットワークを介して接続した地図情報提供サービスシステムにおいて、
前記紹介情報を作成する際に用いられる前記紹介基本情報であって、
地図上の位置を示す座標、地図上の位置を示す符号、当該施設若しくは場所が分類された区分を示す分類識別符号、住所、及び、前記ホームページ用入力情報のホームページデータ識別符号のうちの少なくとも１つを含むことを特徴とする請求項１０乃至１４のいずれかに記載のサーバ。
【請求項１６】
前記通信ネットワークに接続可能であり、前記ユーザ端末装置へ提供する情報を入力する情報提供者端末装置を、前記情報提供サービスシステムが備えており、
情報提供者が提供する情報を入力する入力画面を生成するための入力画面情報作成する入力画面情報作成手段と、
当該入力画面情報作成手段で作成された前記入力画面情報を前記情報提供者端末装置へ送信する入力画面情報送信手段と、
前記情報提供者端末装置において前記入力画面に入力された入力データを前記情報提供者端末装置から受信する入力データ受信手段と
を備え、
前記入力手段は前記入力データ受信手段であり、前記入力データが前記入力情報として前記入力情報記憶手段に記憶されることを特徴とする請求項１０乃至１５のいずれかに記載のサーバ。
【請求項１７】
既存のホームページのＵＲＬ、及び、当該ホームページに記載されている施設又は場所を含む情報である既存ホームページ情報を記憶する既存ホームページ情報記憶手段と、
当該既存ホームページ情報記憶手段に記憶されているＵＲＬのホームページに記載された文言のなかに含まれている、前記分類基礎情報のキーワードの数を前記区分毎に計数するキーワード計数手段と、
当該キーワード計数手段により計数された前記区分毎の数を比較し、最も計数された数が多かった区分を、当該ホームページの属する区分と決定する区分決定手段と、
当該区分決定手段により決定された区分、及び、当該ホームページに記載されている施設又は場所の名称を、前記入力情報記憶手段に記憶されている前記入力情報に記憶させる既存ホームページ情報反映手段と
を備え、
前記入力手段は、前記既存ホームページ情報反映手段であることを特徴とする請求項１０乃至１６のいずれかに記載のサーバ。
【請求項１８】
前記入力画面は、入力内容毎に複数存在し、入力情報も入力内容毎に複数存在していることを特徴とする請求項１０乃至１７のいずれかに記載のサーバ。
【発明の詳細な説明】
【０００１】
【発明の属する技術分野】
本発明は、情報提供サービスシステム及びサーバに関し、詳細には、通信ネットワークに接続可能なユーザ端末装置と、前記ユーザ端末装置へ地図を用いた情報を提供するサーバとが通信ネットワークを介して接続し、サーバにおいて、提供する情報の基になる情報を作成する情報提供サービスシステム及びサーバに関する。
【０００２】
【従来の技術】
従来、ユーザ端末装置がインターネットを介してサーバに接続し、様々な情報を閲覧したり、データをサーバからユーザ端末装置へダウンロードすることは、一般的に行われている。これらの情報やデータをサーバが提供するにあたって、地図を用いることも一般的に行われている。本出願人においても、特願２００２−２７６８２４号で、ユーザ端末装置から指定された地図上の領域及び情報について、塗り分けられた地図を提供したり、選択された領域と比較することに適した領域（例えば、人口が同じ程度であったり、世帯数が同じ程度であったり、人口密度が同じ程度であったり、面積が同じ程度であったりする領域）との比較情報を提供したりする情報提供サービスシステム及びサーバを提案している。
【０００３】
【発明が解決しようとする課題】
しかしながら、サーバからユーザ端末装置に地図を用いて提供される情報（提供情報）の基になるデータ（基本情報）を作成することは大変手間が係る。提供情報の大元となるのは、情報提供者が提供する情報（提供者情報）である。この収集方法としては、書面等により電子データ化されていない情報を回収し、サーバへキーボードやマウス等により人の手を介して入力する方法、通信ネットワークやフレキシブルディスク等の記憶媒体を介してデータをサーバへ入力する方法、サーバと通信ネットワークを介して接続しているユーザ端末装置において、基本情報毎の入力画面に、情報提供者が情報を入力してサーバに提供者情報を登録する方法等が考えられる。
【０００４】
書面等の電子データ化されていない情報により提供者情報を収集する場合には、情報提供サービスシステムの運営者が提供者情報を整理し、サーバへ入力する手間が係るという問題がある。また、通信ネットワークや記憶媒体を介して入力されるデータは必ずしも基本情報と同一のフォーマットのデータとして入手できるわけではないという問題がある。
【０００５】
本発明は、上記問題を解決するためになされたものであり、サーバにおいて、提供する情報の基になる基本情報を作成する情報提供サービスシステム及びサーバを提供することを目的としている。
【０００６】
【課題を解決するための手段】
上記課題を解決するため、請求項１に係る発明の情報提供サービスシステムでは、通信ネットワークに接続可能なユーザ端末装置と、前記ユーザ端末装置へ地図を用いた情報を提供するサーバとが通信ネットワークを介して接続した情報提供サービスシステムであって、前記サーバは、情報提供者から提供された情報を入力する入力手段と、当該入力手段で入力された情報である入力情報を記憶する入力情報記憶手段と、住所に関する情報である住所基礎情報を記憶する住所基礎情報記憶手段と、地図上に表示される施設又は場所の分類に関する分類基礎情報を記憶する分類基礎情報記憶手段と、前記入力情報記憶手段に記憶された前記入力情報と、前記住所基礎情報記憶手段に記憶された前記住所基礎情報と、前記分類基礎情報記憶手段に記憶された前記分類基礎情報とを関連付けるキー情報を記憶するキー情報記憶手段と、当該キー情報記憶手段に記憶された前記キー情報に基づいて、前記入力情報、前記住所基礎情報又は前記分類基礎情報から地図上の同一の施設又は場所に関するデータを抽出して、前記ユーザ端末装置へ提供する情報を作成する際に使用する情報である基本情報を作成する基本情報作成手段と、当該基本情報作成手段で作成された前記基本情報を記憶する基本情報記憶手段とを備えている。
【０００７】
この構成の情報提供サービスシステムでは、サーバの入力手段は、情報提供者から提供された情報を入力し、入力情報記憶手段は、入力手段で入力された情報である入力情報を記憶し、住所基礎情報記憶手段は、住所に関する情報である住所基礎情報を記憶し、分類基礎情報記憶手段は、地図上に表示される施設又は場所の分類に関する分類基礎情報を記憶し、キー情報記憶手段は、入力情報記憶手段に記憶された入力情報と、住所基礎情報記憶手段に記憶された住所基礎情報と、分類基礎情報記憶手段に記憶された分類基礎情報とを関連付けるキー情報を記憶し、基本情報作成手段は、キー情報記憶手段に記憶されたキー情報に基づいて、入力情報、住所基礎情報又は分類基礎情報から地図上の同一の施設又は場所に関するデータを抽出して、ユーザ端末装置へ提供する情報を作成する際に使用する情報である基本情報を作成し、基本情報記憶手段は、基本情報作成手段で作成された基本情報を記憶する。
【０００８】
また、請求項２に係る発明の情報提供サービスシステムでは、請求項１に記載の発明の構成に加えて、前記住所基礎情報は、当該住所基礎情報の個々のデータを識別する住所識別符号、住所、名称、地図上の位置を示す座標、地図上の位置を示す符号、及び、電話番号のうちの少なくとも１つを含むことを特徴とする構成となっている。
【０００９】
この構成の情報提供サービスシステムでは、請求項１に記載の発明の作用に加えて、前記住所基礎情報は、当該住所基礎情報の個々のデータを識別する住所識別符号、住所、名称、地図上の位置を示す座標、地図上の位置を示す符号、及び、電話番号のうちの少なくとも１つが用いられる。
【００１０】
また、請求項３に係る発明の情報提供サービスシステムでは、請求項１又は２に記載の発明の構成に加えて、前記分類基礎情報は、地図上に表示される施設又は場所を部類する区分を示す区分識別符号、区分の名称、区分の内容に係わりの深い単語であるキーワード、当該区分に属する施設又は場所を地図上で示す際に用いられる画像データ、当該画像データの名称、及び、前記画像データの保存場所を示すデータのうちの少なくとも１つを含むことを特徴とする構成となっている
【００１１】
この構成の情報提供サービスシステムでは、請求項１又は２に記載の発明の作用に加えて、分類基礎情報は、地図上に表示される施設又は場所を部類する区分を示す区分識別符号、区分の名称、区分の内容に係わりの深い単語であるキーワード、区分に属する施設又は場所を地図上で示す際に用いられる画像データ、画像データの名称、及び、画像データの保存場所を示すデータのうちの少なくとも１つが用いられる。
【００１２】
また、請求項４に係る発明の情報提供サービスシステムでは、請求項１乃至３のいずれかに記載の発明の構成に加えて、前記入力情報は、当該データを識別するためのホームページ用データ識別符号、入力日付、施設又は場所の名称、電話番号、当該ホームページ用データの属する分類を示す区分の識別符号、区分の名称、提供する情報の内容、アンケートの設問番号、アンケートの質問内容及びアンケートの回答のうちの少なくとも１つを含むホームページ用入力情報、当該データを識別するためのアンケートデータ識別符号、アンケートを集計する際の集計区分、集計方法を示す符号、アンケートの回答、当該アンケートの属する分類を示す区分の識別符号、区分の名称、のうちの少なくとも１つを含むアンケート入力情報、又は、当該データを識別するための地図データ識別符号、当該地図データの属する分類を示す区分の識別符号、区分の名称、住所、電話番号、当該データが示す施設又は場所のホームページのＵＲＬ、前記ホームページの基になるデータが記憶されている前記ホームページ用入力情報の識別符号のうちの少なくとも１つを含む地図入力情報のうちの少なくとも１つであることを特徴とする構成となっている。
【００１３】
この構成の情報提供サービスシステムでは、請求項１乃至３のいずれかに記載の発明の作用に加えて、入力情報は、データを識別するためのホームページ用データ識別符号、入力日付、施設又は場所の名称、電話番号、ホームページ用データの属する分類を示す区分の識別符号、区分の名称、提供する情報の内容、アンケートの設問番号、アンケートの質問内容及びアンケートの回答のうちの少なくとも１つを含むホームページ用入力情報、データを識別するためのアンケートデータ識別符号、アンケートを集計する際の集計区分、集計方法を示す符号、アンケートの回答、アンケートの属する分類を示す区分の識別符号、区分の名称、のうちの少なくとも１つを含むアンケート入力情報、又は、データを識別するための地図データ識別符号、地図データの属する分類を示す区分の識別符号、区分の名称、住所、電話番号、データが示す施設又は場所のホームページのＵＲＬ、ホームページの基になるデータが記憶されているホームページ用入力情報の識別符号のうちの少なくとも１つを含む地図入力情報のうちの少なくとも１つが用いられる。
【００１４】
また、請求項５に係る発明の情報提供サービスシステムでは、請求項１乃至４のいずれかに記載の発明の構成に加えて、前記基本情報は、通信ネットワークに接続可能なユーザ端末装置と、地図を分割した領域に関する情報を提供するサーバとが通信ネットワークを介して接続し、前記サーバが、前記ユーザ端末装置で選択された、複数の領域に分割された地図のうちの少なくとも１つの領域を、前記ユーザ端末装置で選択された情報の種類に関して塗り分けられた塗り分け地図を作成し、前記ユーザ端末装置へ提供する塗り分け地図情報提供サービスシステムにおいて、前記塗り分け地図を作成する際に用いられる塗り分け地図基本情報であって、当該塗り分け地図基本情報の個々のデータを識別する塗り分け地図識別符号、前記地図上に表示される施設又は場所の名称、住所、電話暗号、当該施設又は場所が分類された区分を示す区分識別符号、前記アンケート入力情報の個別のデータを識別するためのアンケートデータ識別符号、及び、前記地図入力情報の個別のデータを識別するための地図データ識別符号のうちの少なくとも１つを含むことを特徴とする構成となっている。
【００１５】
この構成の情報提供サービスシステムでは、請求項１乃至４のいずれかに記載の発明の作用に加えて、基本情報は、通信ネットワークに接続可能なユーザ端末装置と、地図を分割した領域に関する情報を提供するサーバとが通信ネットワークを介して接続し、サーバが、ユーザ端末装置で選択された、複数の領域に分割された地図のうちの少なくとも１つの領域を、ユーザ端末装置で選択された情報の種類に関して塗り分けられた塗り分け地図を作成し、ユーザ端末装置へ提供する塗り分け地図情報提供サービスシステムにおいて、塗り分け地図を作成する際に用いられる塗り分け地図基本情報であって、塗り分け地図基本情報の個々のデータを識別する塗り分け地図識別符号、地図上に表示される施設又は場所の名称、住所、電話暗号、施設又は場所が分類された区分を示す区分識別符号、アンケート入力情報の個別のデータを識別するためのアンケートデータ識別符号、及び、地図入力情報の個別のデータを識別するための地図データ識別符号のうちの少なくとも１つが用いられる。
【００１６】
また、請求項６に係る発明の情報提供サービスシステムでは、請求項１乃至５のいずれかに記載の発明の構成に加えて、前記基本情報は、通信ネットワークに接続可能なユーザ端末装置と、地図と共に、地図上に表示される施設又は場所を紹介する紹介情報を提供するサーバとが通信ネットワークを介して接続した地図情報提供サービスシステムにおいて、前記紹介情報を作成する際に用いられる前記紹介基本情報であって、地図上の位置を示す座標、地図上の位置を示す符号、当該施設若しくは場所が分類された区分を示す分類識別符号、住所、及び、前記ホームページ用入力情報のホームページデータ識別符号のうちの少なくとも１つを含むことを特徴とする構成となっている。
【００１７】
この構成の情報提供サービスシステムでは、請求項１乃至５のいずれかに記載の発明の作用に加えて、基本情報は、通信ネットワークに接続可能なユーザ端末装置と、地図と共に、地図上に表示される施設又は場所を紹介する紹介情報を提供するサーバとが通信ネットワークを介して接続した地図情報提供サービスシステムにおいて、紹介情報を作成する際に用いられる紹介基本情報であって、地図上の位置を示す座標、地図上の位置を示す符号、施設若しくは場所が分類された区分を示す分類識別符号、住所、及び、ホームページ用入力情報のホームページデータ識別符号のうちの少なくとも１つが用いられる。
【００１８】
また、請求項７に係る発明の情報提供サービスシステムでは、請求項１乃至６のいずれかに記載の発明の構成に加えて、前記情報提供サービスシステムは、通信ネットワークに接続可能であり、前記ユーザ端末装置へ提供する情報を入力する情報提供者端末装置を備え、前記サーバは、情報提供者が提供する情報を入力する入力画面を生成するための入力画面情報作成する入力画面情報作成手段と、当該入力画面情報作成手段で作成された前記入力画面情報を前記情報提供者端末装置へ送信する入力画面情報送信手段と、前記情報提供者端末装置において前記入力画面に入力された入力データを前記情報提供者端末装置から受信する入力データ受信手段とを備え、前記情報提供者端末装置は、前記入力画面送信手段から送信された前記入力画面情報を受信する入力画面情報受信手段と、当該入力画面情報受信手段が受信した前記入力画面情報から前記入力画面を生成する入力画面生成手段と、当該入力画面生成手段が生成した入力画面を表示する画面表示手段と、当該画面表示手段に表示されている前記入力画面にデータを入力するデータ入力手段と、当該入力情報入力手段で入力された前記入力データを前記入力データ受信手段へ送信する入力データ送信手段とを備え、前記サーバの前記入力手段は前記入力データ受信手段であり、前記入力データが前記入力情報として前記入力情報記憶手段に記憶されることを特徴とする構成となっている。
【００１９】
この構成の情報提供サービスシステムでは、請求項１乃至６のいずれかに記載の発明の作用に加えて、情報提供者端末装置は、通信ネットワークに接続可能であり、ユーザ端末装置へ提供する情報を入力する。また、サーバの入力画面情報作成手段は、情報提供者が提供する情報を入力する入力画面を生成するための入力画面情報作成し、入力画面情報送信手段は、入力画面情報作成手段で作成された入力画面情報を情報提供者端末装置へ送信し、入力データ受信手段は、情報提供者端末装置において入力画面に入力された入力データを情報提供者端末装置から受信する。また、情報提供者端末装置の入力画面情報受信手段は、入力画面送信手段から送信された入力画面情報を受信し、入力画面生成手段は、入力画面情報受信手段が受信した入力画面情報から入力画面を生成し、画面表示手段は、入力画面生成手段が生成した入力画面を表示し、データ入力手段は、画面表示手段に表示されている入力画面にデータを入力し、入力データ送信手段は、入力情報入力手段で入力された入力データを入力データ受信手段へ送信する。また、サーバの入力手段は入力データ受信手段であり、入力データが入力情報として入力情報記憶手段に記憶される。
【００２０】
また、請求項８に係る発明の情報提供サービスシステムでは、請求項１乃至７のいずれかに記載の発明の構成に加えて、前記サーバは、既存のホームページのＵＲＬ、及び、当該ホームページに記載されている施設又は場所を含む情報である既存ホームページ情報を記憶する既存ホームページ情報記憶手段と、当該既存ホームページ情報記憶手段に記憶されているＵＲＬのホームページに記載された文言のなかに含まれている、前記分類基礎情報のキーワードの数を前記区分毎に計数するキーワード計数手段と、当該キーワード計数手段により計数された前記区分毎の数を比較し、最も計数された数が多かった区分を、当該ホームページに属する区分と決定する区分決定手段と、当該区分決定手段により決定された区分、及び、当該ホームページに記載されている施設又は場所の名称を、前記入力情報記憶手段に記憶されている前記入力情報に記憶させる既存ホームページ情報反映手段とを備え、記サーバの前記入力手段は、前記既存ホームページ情報反映手段であることを特徴とする構成となっている。
【００２１】
この構成の情報提供サービスシステムでは、請求項１乃至７のいずれかに記載の発明の作用に加えて、サーバの既存ホームページ情報記憶手段は、既存のホームページのＵＲＬ、及び、ホームページに記載されている施設又は場所を含む情報である既存ホームページ情報を記憶し、キーワード計数手段は、既存ホームページ情報記憶手段に記憶されているＵＲＬのホームページに記載された文言のなかに含まれている、分類基礎情報のキーワードの数を区分毎に計数し、区分決定手段は、キーワード計数手段により計数された区分毎の数を比較し、最も計数された数が多かった区分を、ホームページの属する区分と決定し、既存ホームページ情報反映手段は、区分決定手段により決定された区分、及び、ホームページに記載されている施設又は場所の名称を、入力情報記憶手段に記憶されている入力情報に記憶させる。また、サーバの入力手段は、既存ホームページ情報反映手段である。
【００２２】
また、請求項９に係る発明の情報提供サービスシステムでは、請求項１乃至８のいずれかに記載の発明の構成に加えて、前記入力画面は、入力内容毎に複数存在し、前記入力情報も入力内容毎に複数存在していることを特徴とする構成となっている。
【００２３】
この構成の情報提供サービスシステムでは、請求項１乃至８のいずれかに記載の発明の作用に加えて、入力画面は、入力内容毎に複数存在し、入力情報も入力内容毎に複数存在している。
【００２４】
また、請求項１０に係る発明のサーバでは、通信ネットワークに接続可能なユーザ端末装置と、前記ユーザ端末装置へ地図を用いた情報を提供するサーバとが通信ネットワークを介して接続した情報提供サービスシステムを構成するサーバであって、情報提供者から提供された情報を入力する入力手段と、当該入力手段で入力された情報である入力情報を記憶する入力情報記憶手段と、住所に関する情報である住所基礎情報を記憶する住所基礎情報記憶手段と、地図上に表示される施設又は場所の分類に関する分類基礎情報を記憶する分類基礎情報記憶手段と、前記入力情報記憶手段に記憶された前記入力情報と、前記住所基礎情報記憶手段に記憶された前記住所基礎情報と、前記分類基礎情報記憶手段に記憶された前記分類基礎情報とを関連付けるキー情報を記憶するキー情報記憶手段と、当該キー情報記憶手段に記憶された前記キー情報に基づいて、前記入力情報、前記住所基礎情報又は前記分類基礎情報から地図上の同一の施設又は場所に関するデータを抽出して、前記ユーザ端末装置へ提供する情報を作成する際に使用する情報である基本情報を作成する基本情報作成手段と、当該基本情報作成手段で作成された前記基本情報を記憶する基本情報記憶手段とを備えている。
【００２５】
この構成のサーバでは、入力手段は、情報提供者から提供された情報を入力し、入力情報記憶手段は、入力手段で入力された情報である入力情報を記憶し、住所基礎情報記憶手段は、住所に関する情報である住所基礎情報を記憶し、分類基礎情報記憶手段は、地図上に表示される施設又は場所の分類に関する分類基礎情報を記憶し、キー情報記憶手段は、入力情報記憶手段に記憶された入力情報と、住所基礎情報記憶手段に記憶された住所基礎情報と、分類基礎情報記憶手段に記憶された分類基礎情報とを関連付けるキー情報を記憶し、基本情報作成手段は、キー情報記憶手段に記憶されたキー情報に基づいて、入力情報、住所基礎情報又は分類基礎情報から地図上の同一の施設又は場所に関するデータを抽出して、ユーザ端末装置へ提供する情報を作成する際に使用する情報である基本情報を作成し、基本情報記憶手段は、基本情報作成手段で作成された基本情報を記憶する。
【００２６】
また、請求項１１に係る発明のサーバでは、請求項１０に記載の発明の構成に加えて、前記住所基礎情報は、当該住所基礎情報の個々のデータを識別する住所識別符号、住所、名称、地図上の位置を示す座標、地図上の位置を示す符号、及び、電話番号のうちの少なくとも１つを含むことを特徴とする構成となっている。
【００２７】
この構成のサーバでは、請求項１０に記載の発明の作用に加えて、住所基礎情報は、住所基礎情報の個々のデータを識別する住所識別符号、住所、名称、地図上の位置を示す座標、地図上の位置を示す符号、及び、電話番号のうちの少なくとも１つが用いられる。
【００２８】
また、請求項１２に係る発明のサーバでは、請求項１０又は１１に記載の発明の構成に加えて、前記分類基礎情報は、地図上に表示される施設又は場所を部類する区分を示す区分識別符号、区分の名称、区分の説明、当該区分に属する施設又は場所を地図上で示す際に用いられる画像データ、当該画像データの名称、及び、前記画像データの保存場所を示すデータのうちの少なくとも１つを含むことを特徴とする構成となっている。
【００２９】
この構成のサーバでは、請求項１０又は１１に記載の発明の作用に加えて、分類基礎情報は、地図上に表示される施設又は場所を部類する区分を示す区分識別符号、区分の名称、区分の説明、区分に属する施設又は場所を地図上で示す際に用いられる画像データ、画像データの名称、及び、画像データの保存場所を示すデータのうちの少なくとも１つが用いられる。
【００３０】
また、請求項１３に係る発明のサーバでは、請求項１０乃至１２のいずれかに記載の発明の構成に加えて、前記入力情報は、当該データを識別するためのホームページ用データ識別符号、入力日付、施設又は場所の名称、電話番号、当該ホームページ用データの属する分類を示す区分の識別符号、区分の名称、提供する情報の内容、アンケートの設問番号、アンケートの質問内容及びアンケートの回答のうちの少なくとも１つを含むホームページ用入力情報、当該データを識別するためのアンケートデータ識別符号、アンケートを集計する際の集計区分、集計方法を示す符号、アンケートの回答、当該アンケートの属する分類を示す区分の識別符号、区分の名称、のうちの少なくとも１つを含むアンケート入力情報、又は、当該データを識別するための地図データ識別符号、当該地図データの属する分類を示す区分の識別符号、区分の名称、住所、電話番号、当該データが示す施設又は場所のホームページのＵＲＬ、前記ホームページの基になるデータが記憶されている前記ホームページ用入力情報の識別符号のうちの少なくとも１つを含む地図入力情報のうちの少なくとも１つであることを特徴とする構成となっている。
【００３１】
この構成のサーバでは、請求項１０乃至１２のいずれかに記載の発明の作用に加えて、入力情報は、データを識別するためのホームページ用データ識別符号、入力日付、施設又は場所の名称、電話番号、ホームページ用データの属する分類を示す区分の識別符号、区分の名称、提供する情報の内容、アンケートの設問番号、アンケートの質問内容及びアンケートの回答のうちの少なくとも１つを含むホームページ用入力情報、データを識別するためのアンケートデータ識別符号、アンケートを集計する際の集計区分、集計方法を示す符号、アンケートの回答、アンケートの属する分類を示す区分の識別符号、区分の名称、のうちの少なくとも１つを含むアンケート入力情報、又は、データを識別するための地図データ識別符号、地図データの属する分類を示す区分の識別符号、区分の名称、住所、電話番号、データが示す施設又は場所のホームページのＵＲＬ、ホームページの基になるデータが記憶されているホームページ用入力情報の識別符号のうちの少なくとも１つを含む地図入力情報のうちの少なくとも１つが用いられる。
【００３２】
また、請求項１４に係る発明のサーバでは、請求項１０乃至１３のいずれかに記載の発明の構成に加えて、前記基本情報は、通信ネットワークに接続可能なユーザ端末装置と、地図を分割した領域に関する情報を提供するサーバとが通信ネットワークを介して接続し、前記サーバが、前記ユーザ端末装置で選択された、複数の領域に分割された地図のうちの少なくとも１つの領域を、前記ユーザ端末装置で選択された情報の種類に関して塗り分けられた塗り分け地図を作成し、前記ユーザ端末装置へ提供する塗り分け地図情報提供サービスシステムにおいて、前記塗り分け地図を作成する際に用いられる塗り分け地図基本情報であって、当該塗り分け地図基本情報の個々のデータを識別する塗り分け地図識別符号、前記地図上に表示される施設又は場所の名称、住所、電話暗号、当該施設又は場所が分類された区分を示す区分識別符号、前記アンケート入力情報の個別のデータを識別するためのアンケートデータ識別符号、及び、前記地図入力情報の個別のデータを識別するための地図データ識別符号のうちの少なくとも１つを含むことを特徴とする構成となっている。
【００３３】
この構成のサーバでは、請求項１０乃至１３のいずれかに記載の発明の作用に加えて、基本情報は、通信ネットワークに接続可能なユーザ端末装置と、地図を分割した領域に関する情報を提供するサーバとが通信ネットワークを介して接続し、サーバが、ユーザ端末装置で選択された、複数の領域に分割された地図のうちの少なくとも１つの領域を、ユーザ端末装置で選択された情報の種類に関して塗り分けられた塗り分け地図を作成し、ユーザ端末装置へ提供する塗り分け地図情報提供サービスシステムにおいて、塗り分け地図を作成する際に用いられる塗り分け地図基本情報であって、塗り分け地図基本情報の個々のデータを識別する塗り分け地図識別符号、地図上に表示される施設又は場所の名称、住所、電話暗号、施設又は場所が分類された区分を示す区分識別符号、アンケート入力情報の個別のデータを識別するためのアンケートデータ識別符号、及び、地図入力情報の個別のデータを識別するための地図データ識別符号のうちの少なくとも１つが用いられる。
【００３４】
また、請求項１５に係る発明のサーバでは、請求項１０乃至１４のいずれかに記載の発明の構成に加えて、前記基本情報は、通信ネットワークに接続可能なユーザ端末装置と、地図と共に、地図上に表示される施設又は場所を紹介する紹介情報を提供するサーバとが通信ネットワークを介して接続した地図情報提供サービスシステムにおいて、前記紹介情報を作成する際に用いられる前記紹介基本情報であって、地図上の位置を示す座標、地図上の位置を示す符号、当該施設若しくは場所が分類された区分を示す分類識別符号、住所、及び、前記ホームページ用入力情報のホームページデータ識別符号のうちの少なくとも１つを含むことを特徴とする構成となっている。
【００３５】
この構成のサーバでは、請求項１０乃至１４のいずれかに記載の発明の作用に加えて、基本情報は、通信ネットワークに接続可能なユーザ端末装置と、地図と共に、地図上に表示される施設又は場所を紹介する紹介情報を提供するサーバとが通信ネットワークを介して接続した地図情報提供サービスシステムにおいて、紹介情報を作成する際に用いられる紹介基本情報であって、地図上の位置を示す座標、地図上の位置を示す符号、施設若しくは場所が分類された区分を示す分類識別符号、住所、及び、ホームページ用入力情報のホームページデータ識別符号のうちの少なくとも１つが用いられる。
【００３６】
また、請求項１６に係る発明のサーバでは、請求項１０乃至１５のいずれかに記載の発明の構成に加えて、前記通信ネットワークに接続可能であり、前記ユーザ端末装置へ提供する情報を入力する情報提供者端末装置を、前記情報提供サービスシステムが備えており、情報提供者が提供する情報を入力する入力画面を生成するための入力画面情報作成する入力画面情報作成手段と、当該入力画面情報作成手段で作成された前記入力画面情報を前記情報提供者端末装置へ送信する入力画面情報送信手段と、前記情報提供者端末装置において前記入力画面に入力された入力データを前記情報提供者端末装置から受信する入力データ受信手段とを備え、前記入力手段は前記入力データ受信手段であり、前記入力データが前記入力情報として前記入力情報記憶手段に記憶されることを特徴とする構成となっている。
【００３７】
この構成のサーバでは、請求項１０乃至１５のいずれかに記載の発明の作用に加えて、情報提供者端末装置は、通信ネットワークに接続可能であり、ユーザ端末装置へ提供する情報を入力する。また、入力画面情報作成手段は、情報提供者が提供する情報を入力する入力画面を生成するための入力画面情報作成し、入力画面情報送信手段は、入力画面情報作成手段で作成された入力画面情報を情報提供者端末装置へ送信し、入力データ受信手段は、情報提供者端末装置において入力画面に入力された入力データを情報提供者端末装置から受信する。また、入力手段は入力データ受信手段であり、入力データが入力情報として入力情報記憶手段に記憶される。
【００３８】
また、請求項１７に係る発明のサーバでは、請求項１０乃至１６のいずれかに記載の発明の構成に加えて、既存のホームページのＵＲＬ、及び、当該ホームページに記載されている施設又は場所を含む情報である既存ホームページ情報を記憶する既存ホームページ情報記憶手段と、当該既存ホームページ情報記憶手段に記憶されているＵＲＬのホームページに記載された文言のなかに含まれている、前記分類基礎情報のキーワードの数を前記区分毎に計数するキーワード計数手段と、当該キーワード計数手段により計数された前記区分毎の数を比較し、最も計数された数が多かった区分を、当該ホームページの属する区分と決定する区分決定手段と、当該区分決定手段により決定された区分、及び、当該ホームページに記載されている施設又は場所の名称を、前記入力情報記憶手段に記憶されている前記入力情報に記憶させる既存ホームページ情報反映手段とを備え、前記入力手段は、前記既存ホームページ情報反映手段であることを特徴とする構成となっている。
【００３９】
この構成のサーバでは、請求項１０乃至１６のいずれかに記載の発明の作用に加えて、既存ホームページ情報記憶手段は、既存のホームページのＵＲＬ、及び、ホームページに記載されている施設又は場所を含む情報である既存ホームページ情報を記憶し、キーワード計数手段は、既存ホームページ情報記憶手段に記憶されているＵＲＬのホームページに記載された文言のなかに含まれている、分類基礎情報のキーワードの数を区分毎に計数し、区分決定手段は、キーワード計数手段により計数された区分毎の数を比較し、最も計数された数が多かった区分を、ホームページの属する区分と決定し、既存ホームページ情報反映手段は、区分決定手段により決定された区分、及び、ホームページに記載されている施設又は場所の名称を、入力情報記憶手段に記憶されている入力情報に記憶させる。また、入力手段は、既存ホームページ情報反映手段である。
【００４０】
また、請求項１８に係る発明のサーバでは、請求項１０乃至１７のいずれかに記載の発明の構成に加えて、前記入力画面は、入力内容毎に複数存在し、入力情報も入力内容毎に複数存在していることを特徴とする構成となっている。
【００４１】
この構成のサーバでは、請求項１０乃至１７のいずれかに記載の発明の作用に加えて、入力画面は、入力内容毎に複数存在し、入力情報も入力内容毎に複数存在している。
【００４２】
【発明の実施の形態】
以下、本発明の一実施の形態について、図面を参照して説明する。図１は、本発明の一実施の形態である情報提供サービスシステムを構成する機器の構成を示すブロック図である。図１に示すように、複数の情報提供者端末装置３及び複数のユーザ端末装置４がインターネット２を介して情報提供サービス提供会社１に設置されたサーバ５に接続している。情報提供者は、情報提供者端末装置３を用いて、サーバ５にインターネットを介して接続し、提供する情報を登録する。また、情報提供サービス利用者はユーザ端末装置４を用いて、サーバ５にインターネット２を介して接続し、サーバ５から提供されている様々な情報を入手する。なお、情報提供者端末装置３及びユーザ端末装置４は、インターネット２に接続可能な端末装置であり、ＣＲＴ又は液晶等の画像を表示するためのディスプレイやキーボード、マウス等の入力装置を備えている。そして、ディスプレイにおいて、インターネット２上のＷＥＢページを閲覧可能なＷＥＢブラウザプログラムを記憶している。
【００４３】
本発明におけるサーバ５はＧＩＳ（Ｇｅｏｇｒａｆｉｃ  Ｉｎｆｏｒｍａｔｉｏｎ  Ｓｙｓｔｅｍ、地理情報システム）を基本にして様々な情報を提供する。ＧＩＳとは地理的位置を手がかりに、位置に関する情報を持ったデータ（空間データ）を総合的に管理・加工し、視覚的に表示し、高度な分析や迅速な判断を可能にする技術であり、つまりは、地図上の位置情報に対して種々の数値データや画像データ、音声データ、文字データ等を関連付け、システム利用者に提供する技術である。本実施の形態では、地図を用いた情報の提供として、「地図情報提供サービスシステム」及び「塗り分け地図情報提供サービスシステム」を考える。
【００４４】
「地図情報提供サービスシステム」では、サービス利用者がユーザ端末装置４を使用して、サーバ５にインターネット２を介して接続することにより、ユーザ端末装置４の画面に地図が表示される。また、画面には地図上に表示される情報の区分を指定できるようになっており、サービス利用者が区分を指定すると、その区分に属する施設や場所が地図上にアイコンとして表示される。そして、サービス利用者がマウスクリックやキー操作によりアイコンを選択すると、その施設に関する情報が画面に表示されたり、音声が出力されたりする。情報とは、例えば、施設や場所の名称、住所、電話番号、ホームページのＵＲＬ等である。
【００４５】
例えば、区分は大分類、中分類、小分類に分かれており、大分類「観光」、中分類「施設」、小分類「ホール」を指定すると、地図上に劇場やコンサートホール等の大分類「観光」、中分類「施設」、小分類「ホール」の区分に属している施設や場所のアイコンが表示される。また、大分類「観光」のみを指定すると劇場やコンサートホールだけでなく、大分類「観光」に属する他の分類（例えば、中分類「施設」で小分類「遊園地」、中分類「施設」で小分類「名所」、中分類「自然」で小分類「山川」等）に属する施設や場所（遊園地、公園、神社、寺、浜辺、ハイキングコース、湖等）のアイコンが表示される。また、区部の指定には、ラジオボタンやチェックボックス、リストボックスを使用する等、様々な方法があるが、どのような方法を用いてもよい。
【００４６】
「塗り分け地図情報提供サービスシステム」では、サービス利用者がユーザ端末装置４を使用して、サーバ５にインターネット２を介して接続することにより、ユーザ端末装置４の画面に地図及び提供情報の種類が表示される。そして、サービス利用者が提供情報の種類と、その情報を取得したい地図上の領域（たとえば、都道府県、市区町村等）を選択すると、選択された領域が、選択された情報の種類に関する情報に基づいて塗り分けられたり、塗り分け地図の作成に使用された情報が表示されたり、選択された領域と比較するのに適した領域（人口が同程度、人口密度が同程度、近隣等）の情報が表示されたりする。例えば、領域として「愛知県」を選択し、提供情報の種類として「人口密度」を選択すると、愛知県内の市区町村毎に、人口密度に応じて地図が塗り分けられる。そして、塗り分け地図の作成に使用された情報として、愛知県及び各市区町村の人口密度、人口、面積等の情報が提供される。また、愛知県の人口密度と同程度の都道府県や近隣の東海地区の情報も同時に表示される。
【００４７】
本発明では、「地図情報提供サービスシステム」又は「塗り分け地図情報提供サービスシステム」で提供される情報を生成するため基になる情報（基本情報）を作成する。具体的には、まず、情報提供者が、情報提供者端末装置３を使用して、インターネット２を介してサーバ５に接続し、提供する情報を入力するための入力画面を表示させ、情報を入力する。そして、情報提供者端末装置３に表示された入力画面に情報を入力、送信することにより、入力された情報はサーバ５へ記憶される。さらに、サーバ５では、情報提供者端末装置３で入力された情報（入力情報）と、予めサーバ５に登録されている住所や区分の分類に関する情報（基礎情報）とから、「地図情報提供サービスシステム」又は「塗り分け地図情報提供サービスシステム」で提供される情報を生成する基になる情報（基本情報）を作成する。
【００４８】
ここで、図２を参照してサーバ５の構造を説明する。図２は、サーバ５の電気的構成のブロック図である。図２に示すように、サーバ５には、サーバ５の制御を司るＣＰＵ５０が設けられ、ＣＰＵ５０には、各種のデータを一時的に記憶するＲＡＭ５１と、ＢＩＯＳ等を記憶したＲＯＭ５２と、データの受け渡しの仲介を行うＩ／Ｏインターフェース５３とが接続されている。Ｉ／Ｏインターフェース５３には、ハードディスク装置５８が接続され、当該ハードディスク装置５８には、入力情報記憶エリア５８０、基礎情報記憶エリア５８１、管理情報記憶エリア５８２、基本情報記憶エリア５８３、入力処理関係情報記憶エリア５８４、塗り分け地図関係情報記憶エリア５８５、紹介地図関係情報記憶エリア５８６、プログラムを記憶したプログラム記憶エリア５８７と、その他の情報記憶エリア５８８とが設けられている。
【００４９】
また、Ｉ／Ｏインターフェース５３には、ビデオコントローラ５４と、キーコントローラ５５と、ＣＤ−ＲＯＭドライブ５６と、ＬＡＮカード５９とが接続され、ビデオコントローラ５４にはＣＲＴ６０が接続され、キーコントローラ５５にはキーボード６１が接続され、ＬＡＮカード５９にはルータ６２が接続され、インターネット２に接続可能となっている。なお、ＣＤ−ＲＯＭドライブ５６に挿入されるＣＤ−ＲＯＭ５７には、サーバ５の制御プログラムが記憶されており、導入時には、制御プログラムは、ＣＤ−ＲＯＭ５７から、ハードディスク装置５８にセットアップされてプログラム記憶エリア５８７に記憶されるようになっている。
【００５０】
入力情報記憶エリア５８０には、後述する入力情報１０やそれに関する情報がが記憶されている。基礎情報記憶エリア５８１には、後述する基礎情報２０が記憶されている。管理情報記憶エリア５８２には、後述する管理情報８０が記憶されている。基本情報記憶エリア５８３には、「地図情報提供サービスシステム」又は「塗り分け地図情報提供サービスシステム」で提供される情報を生成する基になる基本情報４０が記憶されている。入力処理関係情報記憶エリア５８４には、情報提供者が情報提供者端末装置３を使用して、サーバ５にインターネット２を介して接続して、情報提供者端末装置３の画面に表示された入力画面へ提供情報を入力する際に使用される情報が記憶されている。例えば、入力画面（図４乃至図７参照）の情報等である。塗り分け地図関係情報記憶エリア５８５には、「地図情報提供サービスシステム」で使用される各種情報が記憶されている。紹介地図関係情報記憶エリア５８６には、「塗り分け地図情報提供サービスシステム」で使用される各種情報が記憶されている。
【００５１】
次に、図３を参照して、本発明の情報提供サービスシステムの本実施の形態における各情報の関係を説明する。本実施の形態で使用される情報は、大きく４種類の情報に分けられる。入力情報１０、基礎情報２０、基本情報４０、管理情報８０である。尚、本発明の情報提供サービスでは、入力情報作成処理（図１８参照）において、情報提供者が情報提供者端末装置３を用いてインターネット２を介してサーバ５に接続して、画面に入力した情報（個別ホームページ用入力データ１１１、個別アンケート入力データ１２１、個別地図入力データ１３１）等から入力情報１０を作成する。そして、基本情報作成処理（図２３乃至図２９参照）において、入力情報１０を読み込み、読み込んだ入力情報１０と基礎情報２０とを、管理情報８０に基づいて関連付けることにより、基本情報４０を作成する。
【００５２】
本実施の形態では、入力情報１０は、ホームページ用入力情報１１、アンケート入力情報１２、地図入力情報１３を考える。なお、入力情報１０は、ＸＭＬ（Ｅｘｔｅｎｓｉｂｌｅ  Ｍａｒｋｕｐ  Ｌａｎｇｕａｇｅ）形式で表現されている。
【００５３】
ホームページ用入力情報１１は、当該施設または場所のホームページに関する情報である。このホームページ用入力情報１１は、情報提供者がホームページを作成するためにホームページ用入力画面１１０（図５参照）に入力した情報、及び、既に作成されているホームページから取得した情報で構成されている。情報提供者は、情報提供者端末装置３を用いてサーバ５に接続して、情報提供者端末装置３に表示されたホームページ用入力画面１１０にホームページに掲載する情報を入力する。ここで入力された情報は個別ホームページ用入力データ１１１（図８参照）として、入力毎に個々に入力情報記憶エリア５８０に記憶される。そして、所定時期（例えば、１日の終わり、週の終わり、毎週火曜日等任意の時期）に実施される入力情報作成処理（図１８参照）によって、ホームページ用入力情報１１に加えられる。また、入力情報作成処理では、既に作成されているホームページのＵＲＬ、ホームページを所有する施設の名称等の情報が記憶されている既存ホームページ情報１１２（図１６参照）から、ホームページの内容を確認し、属する分類を判断してホームページ用入力情報１１を構成するデータを作成する。尚、図示外のホームページ作成処理において、個別ホームページ用入力データ１１１に基づいて、例えば、ＨＴＭＬ（Ｈｙｐｅｒ  Ｔｅｘｔ  Ｍａｒｋｕｐ  Ｌａｎｇｕａｇｅ）文書といった、ＷＥＢブラウザプログラムにホームページ画面を表示するための情報が作成され、ホームページとしてインターネット２上に公開される。
【００５４】
アンケート入力情報１２は、アンケートの回答結果である。アンケート回答者（情報提供者）は、情報提供者端末装置３を用いてサーバ５に接続して、情報提供者端末装置３に表示されたアンケート入力画面１２０（図６参照）に入力することにより、アンケートに回答する。ここで入力された情報は個別アンケート入力データ１２１（図９参照）として、入力毎に個々に入力情報記憶エリア５８０に記憶される。そして、所定時期（例えば、１日の終わり、週の終わり、毎週火曜日等任意の時期）に実施される入力情報作成処理によって、アンケート入力情報１２に加えられる。
【００５５】
地図入力情報１３は、当該施設または場所を紹介するための住所、電話番号等の情報である。情報提供者は、情報提供者端末装置３を用いてサーバ５に接続して、情報提供者端末装置３に表示された地図情報入力画面１３０（図７参照）に紹介する情報を入力する。ここで入力された情報が個別地図入力データ１３１（図１０参照）として、入力毎に個々に入力情報記憶エリア５８０に記憶される。そして、所定時期（例えば、１日の終わり、週の終わり、毎週火曜日等任意の時期）に実施される入力情報作成処理によって、地図入力情報１３に加えられる。
【００５６】
基礎情報２０は、予めサーバ５に記憶されている情報である。本実施の形態では、住所基礎情報２１及び分類基礎情報２２がある。住所基礎情報２１は、地図上に存在する施設や場所の住所や座標、電話番号、名称等のデータベースである。分類基礎情報２２は、地図上に存在する施設や場所を分類する区分や各区分で使用するアイコン等のデータベースである。
【００５７】
基本情報４０は、「地図情報提供サービスシステム」及び「塗り分け地図情報提供サービスシステム」で使用する情報である。本実施の形態では、紹介基本情報４１及び塗り分け地図基本情報４２がある。紹介基本情報４１は、「地図情報提供サービスシステム」で使用する情報である。塗り分け地図基本情報４２は、「塗り分け地図情報提供サービスシステム」で使用する情報である。
【００５８】
管理情報８０は、入力情報１０と基礎情報２０とを関連付ける情報である。本実施の形態では、キー管理情報８１がある。キー管理情報８１は、入力情報１０毎に、住所基礎情報２１を読み込む際にキーとなるデータ項目を指定している。
【００５９】
ここで、入力情報１０の作成について説明する。まず、図４乃至図７を参照して、情報提供者端末装置３に表示される画面について説明する。次に、図８乃至図１０を参照して、情報提供者端末装置３で入力画面に入力された情報について説明する。次に、図１１乃至図１３を参照して、各入力情報のデータ項目について説明する。次に、図１４及び図１５を参照して、情報提供者端末装置３とサーバ５とがインターネット２を介して接続して行われる入力画面処理について説明する。最後に、図１６又は図１７を参照して、入力情報１０を作成する入力情報作成処理に使用する既存ホームページ情報１１２及び分類基礎情報２２について説明した後に、図１８を参照して、ホームページ用入力情報１１、アンケート入力情報１２、地図入力情報１３及び既存ホームページ情報１１２から入力情報１０を作成する入力情報作成処理について説明する。
【００６０】
図４は、情報提供画面１００のイメージ図である。図５は、ホームページ用入力画面１１０のイメージ図である。図６は、アンケート入力画面１２０のイメージ図である。図７は、地図情報入力画面１３０のイメージ図である。図８は、個別ホームページ用入力データ１１１の概念図である。図９は、個別アンケート入力データ１２１の概念図である。図１０は、個別地図入力データ１３１の概念図である。図１１は、ホームページ用入力情報１１の概念図である。図１２は、アンケート入力情報１２の概念図である。図１３は、地図入力情報１３の概念図である。図１４は、情報提供者端末装置３で実施される入力画面処理のフローチャートである。図１５は、サーバ５で実施されるサーバ側入力画面処理のフローチャートである。図１６は、既存ホームページ情報１１２の概念図である。図１７は、分類基礎情報２２の概念図である。図１８は、サーバ５で実施される入力情報作成処理のフローチャートである。
【００６１】
まず、図４乃至図７を参照して、情報提供者端末装置３に表示される画面について説明する。初めに、図４を参照して、情報提供画面１００について説明する。情報提供画面１００では、どの区分に属する情報を、どの形態で提供するかの選択が行われる。図４に示すように、情報提供画面１００には「大分類」選択欄、「中分類」選択欄、「小分類」選択欄が設けられており、それぞれリストボックスから分類が選択できるようになっている。また、各分類選択欄の下には、項目入力欄が設けられており、「ホームページ作成」、「アンケート回答」、「地図情報登録」の項目について、ラジオボタンが設けられ、どの形態で情報提供を行うかの選択ができるようになっている。さらに、画面右下には、「ＯＫ」ボタン及び「キャンセル」ボタンが設けられている。「ＯＫ」ボタンが選択されると、各分類選択欄及び項目入力欄で選択された内容がサーバ５へ送信される。そして、選択された区分及び項目に該当する入力画面が表示される。尚、「キャンセル」ボタンが選択されると、処理を中止するキャンセル情報がサーバ５へ送信される。
【００６２】
次に、図５を参照して、ホームページ用入力画面１１０について説明する。このホームページ用入力画面１１０は、情報提供画面１００において、「ホームページ作成」項目が選択された状態で「ＯＫ」ボタンが選択された場合に表示される。そして、ホームページを作成して、インターネット２を通じて人々に提供したい情報、例えばイベントの開催や種々の募集要項などを登録することができる。図５に示すように、ホームページ用入力画面１１０には「名称」入力欄、「連絡先電話番号」入力欄、「登録情報内容」入力欄、「ＯＫ」ボタン及び「キャンセル」ボタンが設けられている。尚、図５に示す例では、「名称」入力欄には「活き活きみなと館」が入力されており、「連絡先電話番号」入力欄には「０３−１１１１−１１１１」が入力されており、「登録情報内容」入力欄には「『第３回黒須ふぐ祭り』が開催されます。主催は黒須ふぐブランド推進協議会。５月１７日（土）、１８日（日）。」と入力されている。「ＯＫ」ボタンが選択されると、入力された内容がサーバ５へ送信され、個別ホームページ用入力データ１１１として記憶される。そして、登録完了画面が表示される。尚、「キャンセル」ボタンが選択されると、処理を中止するキャンセル情報がサーバ５へ送信される。
【００６３】
次に、図６を参照して、アンケート入力画面１２０について説明する。このアンケート入力画面１２０は、情報提供画面１００において「アンケート回答」項目が選択された状態で「ＯＫ」ボタンが選択された場合に表示される。アンケートの内容は、選択された区分により決められる。尚、アンケートを実施していない区分が選択されていた場合には、「現在、アンケートはございません」等のエラー情報の画面が表示される。
【００６４】
図６に示す例では、アンケート入力画面１２０には「休業に関するアンケート（観光・施設・暮らし）」とアンケートの名称が表示されており、アンケート番号「００１」、大分類「観光」、中分類「施設」、小分類「暮らし」の「休業に関するアンケート」であることがわかる。さらに入力項目として「名称」入力欄が設けられ、設問は１〜５まで表示されている。設問１は、定休日が問われており、チェックボックスにより「日」、「月」、「火」、「水」、「木」、「金」又は「土」のいずれかを選択することができる。複数選択することも可能である。設問２は、祝日の扱いが問われており、ラジオボタンにより「１．休まない」、「２．休まない（翌日を休みとする）」、「３．休み」、「４．その他」から１つを選択することができる。設問３は、年末年始休業が問われており、開始日と最終日を入力できるようになっている。設問４は、お盆休業が問われており、開始日と最終日を入力できるようになっている。設問６は、ゴールデンウィーク休業が問われており、開始日と最終日それぞれ２つを入力できるようになっている。さらに、「ＯＫ」ボタン及び「キャンセル」ボタンが設けられている。「ＯＫ」ボタンが選択されると、入力された内容がサーバ５へ送信され、個別アンケート入力データ１２１として記憶される。そして、登録完了画面が表示される。尚、「キャンセル」ボタンが選択されると、処理を中止するキャンセル情報がサーバ５へ送信される。
【００６５】
図６に示す例では、名称入力欄には「活き活きみなと館」が入力されており、設問１は「木」が選択され、設問２は「１．休まない」が選択され、設問３は「１２２７」と「０１０４」が入力され、設問４には「０８１２」と「０８１４」が入力され、設問５には「０４２６」と「０４２９」、「０５０３」と「０５０５」が入力されている。
【００６６】
次に、図７を参照して、地図情報入力画面１３０について説明する。この地図情報入力画面１３０は、情報提供画面１００において「地図情報登録」項目が選択された状態で「ＯＫ」ボタンが選択された場合に表示される。図１３に示すように、地図情報入力画面１３０には「名称」入力欄、「住所」入力欄、「電話番号」入力欄、「ＵＲＬ」入力欄、「ＯＫ」ボタン及び「キャンセル」ボタンが設けられている。図１３に示す例では、「名称」入力欄には「活き活きみなと館」が入力されており「住所」入力欄には「黒須市駈茶町１−１」が入力されており、「電話番号」入力欄には「０３−１１１１−１１１１」が入力されており、ＵＲＬ入力欄には「ｈｔｔｐ：／／ｗｗｗ．ｃｉｔｙ．ｃｒｏｓ．ｊｐ／ｉｋｉｉｋｉ−ｍｉｎａｔｏ／」が入力されている。「ＯＫ」ボタンが選択されると、入力された内容がサーバ５へ送信され、個別地図入力データ１３１として記憶される。そして、登録完了画面が表示される。尚、「キャンセル」ボタンが選択されると、処理を中止するキャンセル情報がサーバ５へ送信される。
【００６７】
次に、図８乃至図１０を参照して、情報提供者端末装置３で入力画面に入力された情報について説明する。ホームページ用入力画面１１０については、「ＯＫ」ボタンが選択されると、サーバ５に１つの個別ホームページ用入力データ１１１が作成される。アンケート入力画面１２０については、「ＯＫ」ボタンが選択されると、サーバ５にアンケートの設問毎に個別アンケート入力データが作成される。地図情報入力画面１３０については、「ＯＫ」ボタンが選択されると、サーバ５に１つの個別地図入力データ１３１が作成される。したがって、前回の入力情報作成処理が実施されてから、次の入力情報作成処理が実施されるまでの間に、１０人の情報提供者がそれぞれ１回づつ、ホームページ用入力画面を用いて情報提供を行った場合には、１０個の個別ホームページ用入力データ１１１が存在することになる。
【００６８】
まず、図８を参照して、ホームページ用入力画面１１０に入力されたデータを記憶する個別ホームページ用入力データ１１１について説明する。図８に示すように、「大分類」欄、「中分類」欄、「小分類」欄、「登録日」欄、「名称」欄、「電話番号」欄、「情報内容」欄、「処理」欄が設けられている。「大分類」欄、「中分類」欄、「小分類」欄は、情報提供画面１００で選択された区分が記憶される。また、「登録日」欄は本日の日付が記憶される。「名称」欄、「電話番号」欄、「情報内容」欄には、ホームページ用入力画面１１０に入力された内容が記憶される。「処理」欄には、後述する入力情報作成処理（図１８参照）において当該データが処理されたか否かの情報が記憶される。処理が行われている場合には「１」が記憶され、処理が行われていない場合には「０」が記憶されている。図８に示す例では、大分類には「観光」、中分類には「施設」、小分類には「暮らし」、登録日には「２００３０５０７」、名称には「活き活きみなと館」、電話番号には「０３−１１１１−１１１１」、情報内容には「「第３回黒須ふぐ祭り」が開催されます。主催は黒須ふぐブランド推進協議会。５月１７日（土）、１８日（日）。」が記憶されている。「処理」欄には未処理を示す「０」が記憶されている。
【００６９】
次に、図９を参照して、アンケート入力画面１２０に入力されたデータを記憶する個別アンケート入力データ１２１について説明する。図９に示すように、「名称」欄、「大分類」欄、「中分類」欄、「小分類」欄、「集計区分」欄、「住所基礎情報ＩＤ」欄、「データ種類」欄、「結果」欄、「登録日」欄、「処理」欄が設けられている。「大分類」欄、「中分類」欄、「小分類」欄は、情報提供画面１００で選択された区分が記憶される。「名称」欄には、アンケート入力画面１２０の「名称入力」欄に入力された内容が記憶される。「集計区分」欄には、当該アンケートを後に塗り分け地図情報提供サービスシステムにおいて使用する際に用いられる、アンケートの集計区分がセットされる。このコードは、各アンケート毎に予め決められている。「住所基礎情報ＩＤ」欄には、当該アンケートに回答した施設の住所基礎情報２１（図１９参照）のデータのＩＤ欄の値がセットされる。
【００７０】
「データ種類」欄には、当該設問の結果がどのような形態のデータとして記憶されているかを示すコードがセットされる。「１」は、１つの項目について「有：１」及び「無：０」で結果を示している。「２」は、複数の項目について「有：１」及び「無：０」で結果を示している。「３」は、１つの項目について結果として数値を持っている。「４」は、１つの項目について結果として上限値及び下限値を持っている。「５」は、複数の項目について結果として数値を持っている。このコードは各設問毎に予め決められている。「結果」欄には当該設問の結果が記憶される。また、「登録日」欄は本日の日付が記憶される。「処理」欄には、入力情報作成処理において当該データが処理されたか否かの情報が記憶される。処理が行われている場合には「１」が記憶され、処理が行われていない場合には「０」が記憶されている。
【００７１】
図９に示す例では、名称には「活き活きみなと館」、大分類には「観光」、中分類には「施設」、小分類には「暮らし」、集計区分には「ホール」、データ種類には１つの項目について結果として数値を持つ「３」、結果には「５」が記憶されている。登録日には「２００３０５０７」、「処理」欄には未処理を示す「０」が記憶されている。
【００７２】
次に、図１０を参照して、地図情報入力画面１３０に入力されたデータを記憶する個別地図入力データ１３１について説明する。図１０に示すように、「名称」欄、「大分類」欄、「中分類」欄、「小分類」欄、「住所」欄、「電話番号」欄、「ホームページＵＲＬ」欄、「登録日」欄、「処理」欄が設けられている。「大分類」欄、「中分類」欄、「小分類」欄は、情報提供画面１００で選択された区分が記憶される。「名称」欄、「住所」欄、「電話番号」欄、「ホームページＵＲＬ」欄には、地図情報入力画面１３０に入力された内容が記憶される。また、「登録日」欄は本日の日付が記憶される。「処理」欄には、入力情報作成処理において当該データが処理されたか否かの情報が記憶される。処理が行われている場合には「１」が記憶され、処理が行われていない場合には「０」が記憶されている。
【００７３】
図１０に示す例では、名称には「活き活きみなと館」、大分類には「観光」、中分類には「施設」、小分類には「暮らし」、住所には「黒須市駈茶町１−１」、電話番号には「０３−１１１１−１１１１」、ホームページＵＲＬには「ｈｔｔｐ：／／ｗｗｗ．ｃｉｔｙ．ｃｒｏｓ．ｊｐ／ｉｋｉｉｋｉ−ｍｉｎａｔｏ／」が記憶されている。登録日には「２００３０５０７」、「処理」欄には未処理を示す「０」が記憶されている。
【００７４】
次に、図１１乃至図１３を参照して、各入力情報のデータ項目について説明する。これらの入力情報１は、個別入力データが取り纏められたものである。ホームページ用入力情報１１は、個別ホームページ用入力で１１１が取り纏められたものであり、アンケート入力情報１２は、個別アンケート入力情報１２１が取り纏められたものであり、地図入力情報１３は、個別地図入力情報１３１が取り纏めらたものである。
【００７５】
初めに、図１１を参照して、ホームページ用入力情報１１について説明する。図１１に示すように、ホームページ用入力情報１１には、「管理番号」欄、「大分類」欄、「中分類」欄、「小分類」欄、「登録日」欄、「名称」欄、「電話番号」欄、「情報内容」欄が設けられている。「管理番号」欄には、当該データを登録する際にユニークな番号が割り当てられる。「大分類」欄、「中分類」欄、「小分類」欄、「登録日」欄、「名称」欄、「電話番号」欄及び「情報内容」欄には、個別ホームページ用入力データ１１１に記憶されている内容がセットされる。
【００７６】
図１１に示す例では、管理番号「０３０００１」のデータの大分類は「観光」、中分類は「施設」、小分類は「暮らし」であり、登録日は「２００３０５０７」であり、名称は「活き活きみなと館」であり、電話番号は「０３−１１１１−１１１１」であり、情報内容は「『第３回黒須ふぐ祭り』が開催されます。主催は黒須ふぐブランド推進協議会。５月１７日（土）、１８日（日）。」である。管理番号「０３０００２」のデータは、大分類は「公共施設」、中分類は「行政」、小分類は「文化」であり、登録日は「２００３０５０７」であり、名称は「市民ギャラリー」であり、電話番号は「０３−２２２２−２２２２」であり、情報内容は「桜公園写生大会（４月５日開催）の作品展開催中です。」である。管理番号「０３０００３」のデータは、大分類は「公共施設」、中分類は「学校」、小分類は「小中高」であり、登録日は「２００３０５０８」であり、名称は「黒須小学校」であり、電話番号は「０３−３３３３−３３３３」であり、情報内容は「『浜辺をきれいにする会』を５月２４日（土）に行います。ボランティア参加者募集中。一緒に浜辺をきれいにしましょう！」である。尚、その他のデータは省略されている。
【００７７】
次に、図１２を参照して、アンケート入力情報１２について説明する。図１２に示すように、アンケート入力情報１２には、「管理番号」欄、「名称」欄、「大分類」欄、「中分類」欄、「小分類」欄、「集計区分」欄、「住所基礎情報ＩＤ」欄、「データ種類」欄、「結果」欄、「登録日」欄が設けられている。このアンケート入力情報１２は、アンケート入力画面１２０で情報提供者が入力したアンケートの回答が、設問毎に記憶される。つまり、１つのアンケートで設問が５個あれば、５つのデータが作成される。
【００７８】
「管理番号」欄、当該データを登録する際にユニークな番号が割り当てられる。「大分類」欄、「中分類」欄、「小分類」、「名称」欄、「集計区分」欄、「データ種類」欄、「結果」欄には、個別アンケート入力データ１２１に記憶された各分類がセットされる。「住所基礎情報ＩＤ」欄には、当該アンケートの回答を行った施設、及び分類に該当する住所基礎情報（図１９参照）のデータを指定するＩＤがセットされる。また、「登録日」欄は本日の日付が記憶される。
【００７９】
図１２に示す例では、管理番号「０１００１０１」のデータの名称は「活き活きみなと館」であり、大分類は「観光」、中分類は「施設」、小分類は「暮らし」であり、集計区分は「営業」であり、住所基礎情報ＩＤは「２５８１０」であり、データ種類は「２」であり、結果は「５」であり、登録日は「２００３０５０７」である。管理番号「０１００１０２」のデータの名称は「活き活きみなと館」であり、大分類は「観光」、中分類は「施設」、小分類は「暮らし」であり、集計区分は「営業」であり、住所基礎情報ＩＤは「２５８１０」であり、データ種類は「１」であり、結果は「１」であり、登録日は「２００３０５０７」である。管理番号「０１００１０３」のデータの名称は「活き活きみなと館」であり、大分類は「観光」、中分類は「施設」、小分類は「暮らし」であり、集計区分は「営業」であり、住所基礎情報ＩＤは「２５８１０」であり、データ種類は「４」であり、結果は「１２２７０１０６」であり、登録日は「２００３０５０７」である。その他のデータは省略されている。
【００８０】
次に、図１３を参照して、地図入力情報１３について説明する。図１３に示すように、地図入力情報１３には、「名称」欄、「大分類」欄、「中分類」欄、「小分類」欄、「住所」欄、「電話番号」欄、「ホームページ用入力情報の管理番号」欄、「ホームページＵＲＬ」欄、「登録日」欄が設けられている。「大分類」欄、「中分類」欄、「小分類」欄には、情報提供画面１００において選択され、個別地図入力データ１３１に記憶された各分類がセットされる。「名称」欄、「住所」欄、「電話番号」欄、「ホームページＵＲＬ」欄には、地図情報入力画面１３０の「名称」入力欄、「住所」入力欄、「電話番号」入力欄、「ＵＲＬ」入力欄に入力され。個別地図入力データ１３１に記憶された内容がセットされる。「ホームページ用入力情報の管理番号」欄、当該地図情報の登録を行った施設、及び分類に該当するホームページ用入力情報１１のデータが存在する場合に、その管理番号がセットされる。尚、この「ホームページ用入力情報の管理番号」欄は、入力情報作成処理（図１８参照）ではなく、基本情報作成処理（図２３、図２９）においてセットされる。また、「登録日」欄は本日の日付が記憶される。
【００８１】
図１３に示す例では、名称「いきいきみなと館」のデータの大分類は「観光」、中分類は「施設」、小分類は「暮らし」であり、住所は、「黒須市駈茶町１−１」であり、電話番号は「０３−１１１１−１１１１」であり、ホームページ用入力情報の管理番号は「０３０００１」であり、ホームページＵＲＬは「ｈｔｔｐ：／／ｗｗｗ．ｃｉｔｙ．ｃｒｏｓ．ｊｐ／ｉｋｉｉｋｉ−ｍｉｎａｔｏ／」であり、登録日は「２００３０５０７」である。名称「黒須小学校」のデータの大分類は「公共施設」、中分類は「学校」、小分類は「小中高」であり、住所は「黒須市黒須２−２」であり、電話番号は「０３−３３３３−３３３３」であり、ホームページ用入力情報の管理番号は「０３０００３」であり、ホームページＵＲＬは「ｈｔｔｐ：／／ｗｗｗ．ｃｉｔｙ．ｃｒｏｓ．ｊｐ／ｃｒｏｓ−ｅ／」であり、登録日は「２００３０５０７」である。その他のデータは省略されている。
【００８２】
次いで、図１４及び図１５のフローチャートを参照して、入力画面でのデータ入力について説明する。まず、図１５を参照して、情報提供者が情報提供者端末装置３のＷＥＢブラウザプログラムを情報提供者端末装置３のＣＰＵで実行させることにより実施される入力画面処理について説明する。まず、サーバ５へ接続し（Ｓ２０１）、情報提供画面１００の表示を要求する信号が送信される（Ｓ２０２）。すると、サーバ５では情報提供画面１００を生成する情報提供画面情報を作成して、送信する（図１５、Ｓ２３１，Ｓ２３２参照）。そこで、情報提供者端末装置３では情報提供画面情報が受信される（Ｓ２０３）。そして、情報提供画面１００が情報提供画面情報に基づいて生成され、情報提供者端末装置３の画面に表示される（Ｓ２０４）。そこで、情報提供者がキーボード又はマウスを操作して、情報提供画面１００の分類および項目を選択するので、情報提供者端末装置３はキーボード又はマウスから分類及び項目の選択の入力を受け付ける（Ｓ２０５）。そして、「ＯＫ」ボタンが選択されたか否かの判断が行われる（Ｓ２０６）。「ＯＫ」ボタンが選択された場合には、Ｓ２０５で選択された区分及び項目の情報が入力画面を要求する情報としてサーバ５へ送信される（Ｓ２０７）。
【００８３】
サーバ５では、分類及び項目の選択情報を受信すると（図１５、Ｓ２３３：ＹＥＳ）、入力処理関係情報記憶エリア５８４に記憶されている入力画面の中から、選択された区分及び項目である場合に表示する入力画面を生成する入力画面情報を作成して送信する（図１５、Ｓ２３４，Ｓ２３５参照）。そこで、情報提供者端末装置３では、入力画面情報が受信され（Ｓ２０８）、入力画面が入力画面情報に基づいて生成され、情報提供者端末装置３の画面に表示される（Ｓ２０９）。すると、情報提供者がキーボード又はマウスを操作して、入力画面に情報を入力するので、情報提供者端末装置３では、キーボード又はマウスからの入力の受付が行われる（Ｓ２１０）。そして、「ＯＫ」ボタンが選択されたか否かの判断が行われる（Ｓ２１１）。「ＯＫ」ボタンが選択された場合には、Ｓ２１０で入力された提供情報がサーバ５へ送信される（Ｓ２１２）。
【００８４】
サーバ５では、提供情報を受信すると（図１５、Ｓ２３６：ＹＥＳ）、受信した提供情報を記憶し、処理が完了したことを示す完了画面を生成するための完了画面情報を作成して送信する（図１５、Ｓ２３８，Ｓ２３９）。そこで、情報提供者端末装置３では、完了画面情報が受信され（Ｓ２１３）、完了画面が表示される（Ｓ２１４）。そして、処理は終了する。
【００８５】
尚、情報提供画面１００において「キャンセル」ボタンが選択された場合（Ｓ２０６：ＮＯ，Ｓ２１５：ＹＥＳ）、又は、入力画面において「キャンセル」ボタンが選択された場合（Ｓ２１１：ＮＯ，Ｓ２１６：ＹＥＳ）、キャンセル情報がサーバ５へ送信される（Ｓ２１７）。そして、サーバ５では、キャンセル情報を受信すると、処理がキャンセルされたことを示すキャンセル画面を生成するためのキャンセル画面情報を作成して送信する（図１５、Ｓ２４２，Ｓ２４３）。そこで、情報提供者端末装置３では、キャンセル情報が受信され（Ｓ２１８）、キャンセル画面が表示され（Ｓ２１９）、処理を終了する。尚、「ＯＫ」ボタンも「キャンセル」ボタンも選択されない場合には（Ｓ２１５：ＮＯ、Ｓ２１６：ＮＯ）、繰り返し分類及び項目の選択の受付（Ｓ２０５）や入力の受付（Ｓ２１０）が行われる。
【００８６】
次に、図１５を参照して、サーバ側入力画面処理について説明する。本処理は、情報提供者端末装置３から情報提供画面１００の表示を要求する信号が送信された際に実施されるものである。まず、情報提供画面１００の表示の要求に対して、情報提供画面１００を生成する情報提供画面情報が作成され（Ｓ３２１）、情報提供者端末装置３へ送信される（Ｓ２３２）。そして、情報提供者端末装置３から送信された区分及び項目の選択情報を受信したか否かの判断が行われる（Ｓ２３３）。選択情報を受信した場合には（Ｓ２３３：ＹＥＳ）、入力処理関係情報記憶エリア５８４に記憶されている入力画面の中から、選択された区分及び項目である場合に表示する入力画面を生成する入力画面情報が作成され（Ｓ２３４）、情報提供者端末装置３へ送信される（Ｓ２３５）。そして、情報提供者端末装置３から送信された提供情報を受信したか否かの判断が行われる（Ｓ２３６）。提供情報を受信した場合には（Ｓ２３６：ＹＥＳ）、受信した提供情報を個別ホームページ用入力データ１１１、個別アンケート入力データ１２１、個別地図入力データ１３１として入力情報記憶エリア５８０に記憶され（Ｓ２３７）、処理が完了したことを示す完了画面を生成するための完了画面情報を作成され（Ｓ２３８）、情報提供者端末装置３へ送信される（Ｓ２３９）。そして、処理は終了する。
【００８７】
なお、選択情報でなくキャンセル情報を受信した場合（Ｓ２３３：ＮＯ，Ｓ２４０：ＹＥＳ）、又は、提供情報でなくキャンセル情報を受信した場合には（Ｓ２３６：ＮＯ，Ｓ２４１：ＹＥＳ）、キャンセル画面を生成するキャンセル情報が作成され（Ｓ２４２）、情報提供者端末装置３へ送信される（Ｓ２４３）。また、選択情報、提供情報、キャンセル情報のいずれも受信しない場合には（Ｓ２４０：ＮＯ、Ｓ２４１：ＮＯ）、繰り返し受信を待つ。尚、受信待機時間を計測して、所定時間経過しても情報の受信がない場合には、情報提供者端末装置３との接続を断つなどのタイムアウト処理を行ってもよい。
【００８８】
以上のようにして、情報提供者は情報提供者端末装置３を利用してインターネット２を介してサーバ５へ接続して情報提供画面１００を表示し、分類及び情報提供の形態を示す項目を選択することができる。そして、選択された区分及び情報提供の形態によりホームページ用入力画面１１０、アンケート入力画面１２０又は地図情報入力画面１３０が表示されるので、情報提供者は画面に情報を入力し、「ＯＫ」ボタンを選択することにより、サーバ５へデータが送信され、データをサーバ５へ登録することができる。
【００８９】
次に、図１６を参照して、既存ホームページ情報１１２について説明する。ホームページ用入力情報１１は、新しくホームページを作成するためにホームページ用入力画面１１０を用いて入力されたデータだけでなく、既に存在しているホームページの情報も保有している。そこで、ホームページ用入力情報１１を生成するためには、個別ホームページ用入力データ１１１だけでなく、施設の名称と、そのホームページのＵＲＬを記憶した既存ホームページ情報１１２も使用される。
【００９０】
既存ホームページ情報１１２は、入力情報記憶エリア５８０に記憶されており、図１６に示すように、「名称」欄、「ホームページＵＲＬ」欄及び「処理」欄が設けられている。ここには、すでに開設されているホームページのＵＲＬとして情報提供サービス会社に届出されている施設の名称及びホームページＵＲＬが記憶されている。なお、「処理」欄には、当該データからホームページ用入力情報１１にデータが追加されたか否かの情報が記憶されている。「１」が記憶されている場合には、すでに処理が行われてホームページ用入力情報１１にデータが追加されている。「０」が記憶されている場合には、まだ処理が行われていない。なお、本実施の形態では、書面等にて情報提供サービス会社に届け出られている情報を情報提供サービス側がサーバ５のキーボード６１を使用して入力するが、この情報を入力するための入力画面及び入力情報１０を構成し、情報提供者端末装置３を用いて情報提供者がサーバ５へ登録するようにしてもよい。
【００９１】
図１６に示す例では、名称「いきいきみなと館」のホームページＵＲＬは「ｈｔｔｐ：／／ｗｗｗ．ｃｉｔｙ．ｃｒｏｓ．ｊｐ／ｉｋｉｉｋｉ−ｍｉｎａｔｏ／」であり、処理欄には処理済の「１」が記憶されている。また、名称「黒須北小学校」のホームページＵＲＬは「ｈｔｔｐ：／／ｗｗｗ．ｃｉｔｙ．ｃｒｏｓ．ｊｐ／ｃｒｏｓｎ−ｅ／」であり、名称「黒須小学校」のホームページＵＲＬは「ｈｔｔｐ：／／ｗｗｗ．ｃｉｔｙ．ｃｒｏｓ．ｊｐ／ｃｒｏｓ−ｅ／」であり、共に処理欄には未処理の「０」が記憶されている。
【００９２】
次に、図１７を参照して、分類基礎情報２２について説明する。分類基礎情報２２は、予めサーバ５に記憶されている地図上に存在する施設や場所を分類する区分や各区分で使用するアイコン等のデータベースである。入力情報作成処理では、既存のホームページがどの分類に属するかを判断する際に使用される。また、基本情報作成処理では「地図情報提供サービスシステム」において、地図上に表示されるアイコンを決定する際に使用される。
【００９３】
図１７に示すように、本実施の形態の分類基礎情報２２には、「大分類」欄、「中分類」欄、「小分類」欄、「アイコン」欄、「キーワード」欄が設けられている。「大分類」欄、「中分類」欄及び「小分類」欄には、各階層の区分の名称が記憶されている。大分類が１番広い階層となっており、大分類を更に細かく分類した区分が中分類、中分類を更に細かく分類した区分が小分類となっている。「アイコン」欄には地図上に表示する際に使用するアイコンの画像データが記憶されている。また、「キーワード」欄には、当該分類に関係する単語が記憶されている。
【００９４】
図１７に示す例では、大分類「公共施設」、中分類「学校」、小分類「小中高」のアイコンには「小中高．ｇｉｆ」が記憶され、キーワードには「小学校」、「中学校」、「高校」、「高等学校」等が記憶されている。大分類「公共施設」、中分類「学校」、小分類「幼児」のアイコンには「幼児．ｇｉｆ」が記憶され、キーワードには「幼稚園」、「保育園」が記憶されている。大分類「公共施設」、中分類「学校」、小分類「大学」のアイコンには「大学．ｇｉｆ」が記憶され、キーワードには「大学」、「短期大学」が記憶されている。大分類「公共施設」、中分類「学校」、小分類「その他」のアイコンには「公学他．ｇｉｆ」が記憶され、キーワードには「専門学校」が記憶されている。大分類「公共施設」、中分類「行政」、小分類「役所」のアイコンには「役所．ｇｉｆ」が記憶され、キーワードには「県庁」、「市役所」、「区役所」、「役場」等が記憶されている。大分類「公共施設」、中分類「行政」、小分類「文化」のアイコンには「文化．ｇｉｆ」が記憶され、キーワードには「美術館」、「博物館」、「動物園」、「水族館」等が記憶されている。大分類「観光」、中分類「施設」、小分類「名所」のアイコンには「名所．ｇｉｆ」が記憶され、キーワードには「神社」、「寺」、「庭園」、「遺跡」等が記憶されている。大分類「観光」、中分類「施設」、小分類「暮らし」のアイコンには「暮らし．ｇｉｆ」が記憶され、キーワードには「ホール」、「館」、「劇場」、「広場」等が記憶されている。また、その他のデータは省略されている。
【００９５】
次に、図１８のフローチャートを参照して、サーバ５で実施される入力情報作成処理について説明する。本処理は、所定時期（例えば、１日の終わり、週の終わり、毎週火曜日等任意の時期）に実施される。個別ホームページ用入力データ１１１、個別アンケート入力データ１２１、個別地図入力データ１３１及び既存ホームページ情報１１２からホームページ用入力情報１１、アンケート入力情報１２、地図入力情報１３にデータを追加する。
【００９６】
まず、個別ホームページ用入力データ１１１が存在しているか否かの判断が行われる（Ｓ３０１）。ここでは、入力情報記憶エリア５８０に記憶されている個別ホームページ用入力データ１１１のうち、処理欄に未処理を示す「０」が記憶されているものがあれば、存在していると判断される。存在している場合には（Ｓ３０１：ＹＥＳ）、当該個別ホームページ用入力データ１１１に記憶されている情報をホームページ用入力情報１１へ追加する（Ｓ３０２）。この際には、個別ホームページ用入力データ１１１の各項目に記憶されている内容が、ホームページ用入力情報１１の対応する項目に記憶されるだけでなく、当該データに管理番号が割り当てられ、その管理番号がホームページ用入力情報１１の管理番号欄に記憶される。そして、個別ホームページ用入力データ１１１の処理欄に処理済を示す「１」が記憶される（Ｓ３０３）。
【００９７】
そして、Ｓ３０１へ戻り、他に処理欄に未処理を示す「０」が記憶されている個別ホームページ用入力データ１１１が存在しているか否かの判断が行われ（Ｓ３０１）、その個別ホームページ用入力データ１１１のホームページ用入力情報１１への追加処理が行われる（Ｓ３０２）。そして、繰り返しＳ３０１〜Ｓ３０３の処理が行われ、全ての個別ホームページ用入力データ１１１が処理済となり、未処理の個別ホームページ用入力データ１１１が存在しなくなると（Ｓ３０１：ＮＯ）、次に個別アンケート入力データ１２１の処理が行われる（Ｓ３０４〜Ｓ３０６）。
【００９８】
まず、個別アンケート入力データ１２１が存在しているか否かの判断が行われる（Ｓ３０４）。ここでは、入力情報記憶エリア５８０に記憶されている個別アンケート入力データ１２１のうち、処理欄に未処理を示す「０」が記憶されているものがあれば、存在していると判断される。存在している場合には（Ｓ３０４：ＹＥＳ）、当該個別アンケート入力データ１２１に記憶されている情報をアンケート入力情報１２へ追加する（Ｓ３０５）。この際には、個別アンケート入力データ１２１の各項目に記憶されている内容が、アンケート入力情報１２の対応する項目に記憶されるだけでなく、当該データに管理番号が割り当てられ、その管理番号がアンケート入力情報１２の管理番号欄に記憶される。さらに、住所基礎情報２１の「名称」、「大分類」、「中分類」、「小分類」の値が、当該個別アンケート入力データ１２１の「名称」、「大分類」、「中分類」、「小分類」に記憶されている値であるデータの読み込みが行われ、読み込まれた住所基礎情報２１のデータのＩＤ欄の値が「住所基礎情報ＩＤ」欄にセットされる。該当するデータが存在しない場合には、「住所基礎情報ＩＤ」欄にはなにもセットされない。そして、個別アンケート入力データ１２１の処理欄に処理済を示す「１」が記憶される（Ｓ３０６）。
【００９９】
そして、Ｓ３０４へ戻り、他に処理欄に未処理を示す「０」が記憶されている個別アンケート入力データ１２１が存在しているか否かの判断が行われ（Ｓ３０４）、その個別アンケート入力データ１２１のアンケート入力情報１２への追加処理が行われる（Ｓ３０５）。そして、繰り返しＳ３０４〜Ｓ３０６の処理が行われ、全ての個別アンケート入力データ１２１が処理済となり、未処理の個別アンケート入力データ１２１が存在しなくなると（Ｓ３０４：ＮＯ）、次に個別地図入力データ１３１の処理が行われる（Ｓ３０７〜Ｓ３０９）。
【０１００】
まず、個別地図入力データ１３１が存在しているか否かの判断が行われる（Ｓ３０７）。ここでは、入力情報記憶エリア５８０に記憶されている個別地図入力データ１３１のうち、処理欄に未処理を示す「０」が記憶されているものがあれば、存在していると判断される。存在している場合には（Ｓ３０７：ＹＥＳ）、当該個別地図入力データ１３１に記憶されている情報を地図入力情報１３へ追加する（Ｓ３０８）。この際には、個別地図入力データ１３１の各項目に記憶されている内容が、地図入力情報１３の対応する項目に記憶される。そして、個別地図入力データ１３１の処理欄に処理済を示す「１」が記憶される（Ｓ３０９）。
【０１０１】
そして、Ｓ３０７へ戻り、他に処理欄に未処理を示す「０」が記憶されている個別地図入力データ１３１が存在しているか否かの判断が行われ（Ｓ３０７）、その個別地図入力データ１３１の地図入力情報１３への追加処理が行われる（Ｓ３０８）。そして、繰り返しＳ３０７〜Ｓ３０９の処理が行われ、全ての個別地図入力データ１３１が処理済となり、未処理の個別地図入力データ１３１が存在しなくなると（Ｓ３０７：ＮＯ）、既存ホームページ情報１１２の処理が行われる（Ｓ３１０〜Ｓ３２１）。
【０１０２】
まず、既存ホームページ情報１１２のデータを読み込みが行われる（Ｓ３１０）。そして、全てのデータの読み込みが終えられていた場合には（Ｓ３１１：ＹＥＳ）、処理を終了するが、全てのデータの読み込みが終えられていない場合には（Ｓ３１２：ＮＯ）、読み込んだデータの処理欄に処理済を示す「１」が記憶されているか否かの判断が行われる（Ｓ３１２）。処理済である場合には（Ｓ３１２：ＹＥＳ）、そのデータの処理を行う必要はないので、Ｓ３１０へ戻り次のデータの読み込みが行われる。処理済でない場合には（Ｓ３１２：ＮＯ）、そのデータのホームページが属する区分を決定する際に使用する記憶エリアの値を初期化する（Ｓ３１３）。具体的には、ホームページ内に分類基礎情報２２の各分類のキーワードがいくつ存在したかを検索した結果が記憶される「検索結果数」、検索結果数のなかで最大の数を記憶する「最大数」、最大数となった区分を記憶する「区分」である。例えば、「検索結果」および「最大数」には「０」が記憶され、「区分」にはスペースが記憶される。これらのデータは、その他の情報記憶エリア５８８に記憶されている。
【０１０３】
そして、分類基礎情報２２のデータの読み込みが行われる（Ｓ３１４）。そして、全てのデータの読み込みが終えられていた場合には（Ｓ３１５：ＹＥＳ）、Ｓ３２０へ進むが、全てのデータの読み込みが終えられていない場合には（Ｓ３１５：ＮＯ）、当該既存ホームページ情報１１２のデータの「ホームページＵＲＬ」欄に記憶されているＵＲＬに存在するホームページの内容が読み込まれ、当該分類基礎情報２２のデータの「キーワード」欄に記憶されている単語がいくつ存在するかの検索が行われ、検索結果が「検索結果数」にセットされる（Ｓ３１６）。そして、「検索結果数」が「最大数」と比較される（Ｓ３１７）。そして、「検索結果数」が「最大数」よりも大きい場合には（Ｓ３１７：ＹＥＳ）、「検索結果数」の値が「最大数」にセットされ（Ｓ３１８）、当該分類基礎情報２２のデータの「大分類」欄、「中分類」欄、「小分類」欄の区分が「区分」に記憶される（Ｓ３１９）。そして、Ｓ３１４へ戻り、分類基礎情報２２のデータの読み込みが行われ、繰り返しＳ３１４〜Ｓ３１９の処理が行われる。そして、全ての分類基礎情報２２のデータの読み込みが終えられた場合には（Ｓ３１５：ＹＥＳ）、ホームページ用入力情報１１へデータが追加される（Ｓ３２０）。具体的には、「管理番号」欄には管理番号が割り当てられ、「大分類」欄、「中分類」欄及び「小分類」欄には「区分」に記憶されている区分がセットされ、「登録日」欄には本日の日付がセットされ、「名称」欄には既存ホームページ情報１１２の「名称」欄の内容がセットされる。「電話番号」欄及び「情報内容」欄にはなにもセットされない。そして、既存ホームページ情報１１２のデータに処理済を示す「１」がセットされる（Ｓ３２１）。
【０１０４】
そして、Ｓ３１０へ戻り、次の既存ホームページ情報１１２のデータが読み込まれ、全ての既存ホームページ情報１１２のデータの読み込みが行われるまで、Ｓ３１０〜Ｓ３２１の処理が繰り返し行われ、全ての読み込みが終了したら（Ｓ３１１：ＹＥＳ）、処理は終了する。
【０１０５】
このようにして、情報提供者端末装置３から入力された情報及び既存のホームページの情報から、入力情報１０を作成することができる。
【０１０６】
次に、基本情報作成処理について説明する。まず、図１９乃至図２２を参照して、基本情報作成処理に関係する情報のデータ項目について説明する。そして、図２３乃至図２９を参照して、フローチャートを使用して基本情報作成処理について説明する。図１９は、住所基礎情報２１の概念図である。図２０は、キー管理情報８１の概念図である。図２１は、紹介基本情報４１の概念図である。図２２は、塗り分け地図基本情報４２の概念図である。図２３は、基本情報作成処理のフローチャートである。図２４は、基本情報作成処理の中で実施されるホームページ用入力情報処理のフローチャートである。図２５は、基本情報作成処理の中で実施されるホームページ用入力情報処理のフローチャートであり、図２３のフローチャートの続きである。図２６は、基本情報作成処理の中で実施されるアンケート入力情報処理のフローチャートである。図２７は、基本情報作成処理の中で実施されるアンケート入力情報処理のフローチャートであり、図２５のフローチャートの続きである。図２８は、基本情報作成処理の中で実施される地図入力情報処理のフローチャートである。図２９は、基本情報作成処理の中で実施される地図入力情報処理のフローチャートであり、図２７のフローチャートの続きである。
【０１０７】
まず、図１９を参照して、住所基礎情報２１について説明する。住所基礎情報２１は、予めサーバ５に記憶されている地図上に存在する施設や場所の住所や座標、電話番号、名称等のデータベースである。図１９に示すように、本実施の形態の住所基礎情報２１には、「ｘ座標」欄、「ｙ座標」欄、「大分類」欄、「中分類」欄、「小分類」欄、「名称」欄、「住所」欄、「電話番号」欄、「ＩＤ」欄が設けられている。このデータベースには、本発明の情報提供サービスシステムで使用する地図上の主な施設や店舗等が登録されている。「ｘ座標」欄及び「ｙ座標」欄には、地図上の位置を示すための座標値が記憶されている。「大分類」欄、「中分類」欄及び「小分類」欄には、その施設が属する区分が記憶されている。「名称」欄にはその施設や店舗等の名称が記憶されており、「住所」欄にはその施設や店舗等の住所が、「電話番号」欄には電話番号が記憶されている。また「ＩＤ」欄には住所基礎情報のデータを識別するためのユニークな番号が割り当てられ、記憶されている。
【０１０８】
図１９に示す例では、１つめのデータのｘ座標は「１３９．４４４０５」であり、ｙ座標は「３５．３９１７５」であり、大分類は「学校」、中分類は「小中学校」、小分類は「小学校」であり名称は「黒須小学校」であり、住所は「黒須市黒須２−２」であり、電話番号は「０３−３３３３−３３３３」であり、ＩＤは「２５８０３」である。２つめのデータのｘ座標は「１３９．４４２０２」であり、ｙ座標は「３５．３９１９９」であり、大分類は「学校」、中分類は「小中学校」、小分類は「小学校」であり、名称は「黒須北小学校」であり、住所は「黒須市北駈茶町３−３」であり、電話番号は「０３−４４４４−４４４４」であり、ＩＤは「２５８３２」でありている。３つめのデータのｘ座標は「１３９．４４３２８」であり、ｙ座標は「３５．３９２４５」であり、大分類は「観光」、中分類は「施設」、小分類は「物産」であり、名称は「活き活きみなと館」であり、住所は「黒須市駈茶町１−１」であり、電話番号は「０３−１１１１−１１１１」であり、ＩＤは「２５８１０」である。
【０１０９】
次に、図２０を参照して、キー管理情報８１について説明する。キー管理情報８１は、入力情報１０毎に、住所基礎情報２１を読み込む際にキーとなるデータ項目を指定している。図２０に示すように、本実施の形態のキー管理情報８１には、ホームページ用入力情報１１、アンケート入力情報１２、地図入力情報１３毎に１〜５までの５つのキー項目欄が設けられており、本実施の形態では、項目番号「１」は「座標」欄、「２」は「名称」欄、「３」は「住所」欄、「４」は「電話番号」欄、「５」は「ＩＤ」欄とされている。各欄に「１」が記憶されている場合にはそのデータ項目が、住所基礎情報２１を読み込む際に使用するキーとなっていることを示しており、「０」が記憶されている場合には、キーとならないことを示している。
【０１１０】
図２０に示す例では、ホームページ用入力情報１１では、「名称」欄及び電話番号」欄に「１」が記憶されており、「座標」欄、「住所」欄及び「ＩＤ」欄には「０」が記憶されているので、「名称」及び「電話番号」が住所基礎情報２１を読み込む際に使用するキーとなる。アンケート入力情報１２では、「名称」欄及び「ＩＤ」欄に「１」が記憶されており、「座標」欄、「住所」欄及び「電話番号」欄には「０」が記憶されているので、「名称」及び「ＩＤ」が住所基礎情報２１を読み込む際に使用するキーとなる。地図入力情報１３では、「住所」欄及び「電話番号」欄に「１」が記憶されており、「座標」欄、「名称」欄及び「ＩＤ」欄には「０」が記憶されているので、「住所」及び「電話番号」が住所基礎情報２１を読み込む際に使用するキーとなる。
【０１１１】
次に、図２１を参照して、紹介基本情報４１について説明する。紹介基本情報４１は、「地図情報提供サービスシステム」で使用する情報である。本実施の形態の紹介基本情報４１には、「ｘ座標」欄、「ｙ座標」欄、「大分類」欄、「中分類」欄、「小分類」欄、「名称」欄、「住所」欄、「アイコン」欄、「ホームページ用入力情報の管理番号」欄が設けられている。「ｘ座標」欄、「ｙ座標」欄には、「地図情報提供サービスシステム」においてユーザ端末装置４に表示される地図上における当該データの施設の位置が座標として記憶されており、「アイコン」欄には、地図上で当該施設を示すアイコンのデータが記憶されている。「大分類」欄、「中分類」欄、「小分類」欄には、当該データの施設が属する区分が記憶されている。「名称」欄には当該データの施設の名称、「住所」欄には住所が記憶されている。そして、「ホームページ用入力情報の管理番号」欄には、ホームページ用入力情報１１のうちの当該データの施設のデータの管理番号が記憶されている。該当するホームページ用入力情報１１のデータが複数ある場合には、複数の管理番号が記憶されている。
【０１１２】
図２１に示す例では、１つめのデータのｘ座標は「１３９．４４３２８」であり、ｙ座標は「３５．３９２４５」であり、大分類は「観光」、中分類は「施設」、小分類は「物産」であり、名称は「活き活きみなと館」であり、住所は「黒須市駈茶町１−１」であり、アイコンは「物産．ｇｉｆ」であり、ホームページ用入力情報の管理番号は「０３０００１」、「０３００５８」、「０４０２５８」等である。２つめのデータのｘ座標は「１３９．４４４０５」であり、ｙ座標は「３５．３９１７５」であり、分類番号は「００２００１００１」であり、大分類は「学校」、中分類は「小中学校」、小分類は「小学校」であり、名称は「黒須北小学校」であり、住所は「黒須市北駈茶町３−３」であり、アイコンは「小学校．ｇｉｆ」であり、ホームページ用入力情報の管理番号は「０３０００３」である。他のデータは省略されている。
【０１１３】
次に、図２２を参照して、塗り分け地図基本情報４２について説明する。塗り分け地図基本情報４２は、「塗り分け地図情報提供サービスシステム」で使用する情報である。本実施の形態の塗り分け地図基本情報４２には、「住所基礎情報のＩＤ」欄、「大分類」欄、「中分類」欄、「小分類」欄、「住所」欄、「地図入力情報のＵＲＬ」欄、「アンケート入力情報の管理番号」欄が設けられている。「住所基礎情報のＩＤ」欄には、当該データの施設の当該データの分類における住所基礎情報２１のＩＤが記憶されており、「大分類」欄、「中分類」欄、「小分類」欄には、当該データの属する区分が記憶されており、「住所」欄には、当該データの施設の住所が記憶されており、「地図入力情報のＵＲＬ」欄には、地図入力情報１３の「ホームページＵＲＬ」の値が記憶されている。「アンケート入力情報の管理番号」欄にはアンケート入力情報１２の当該データの施設が回答をしたアンケート入力のデータの管理番号が記憶されている。該当するアンケート入力情報１２のデータが複数ある場合には、複数の管理番号が記憶されている。
【０１１４】
図２２に示す例では、住所基礎情報２１のＩＤが「２５８１０」であるデータの大分類は「観光」、中分類は「施設」、小分類は「暮らし」であり、住所は「黒須市駈茶町１−１」であり、地図入力情報１３のホームページＵＲＬは「ｈｔｔｐ：／／ｗｗｗ．ｃｉｔｙ．ｃｒｏｓ．ｊｐ／ｉｋｉｉｋｉ−ｍｉｎａｔｏ／」であり、アンケート入力情報１２の管理番号は「０１００１０１」、「０１００１０２」、「０１００１０３」、「０１００１０４」、「０１００１０５」等である。住所基礎情報２１のＩＤが「２５８０３」であるデータの大分類は「公共施設」、中分類は「学校」、小分類は「小中高」であり、住所は「黒須市黒須２−２」であり、地図入力情報１３のホームページＵＲＬは「ｈｔｔｐ：／／ｗｗｗ．ｃｉｔｙ．ｃｒｏｓ．ｊｐ／ｃｒｏｓ−ｅ／」であり、アンケート入力情報１２の管理番号は「０１０２５０１」、「０１０２５０２」、「０１０２５０３」である。住所基礎情報２１のＩＤが「２５８３２」であるデータの大分類は「公共施設」、中分類は「学校」、小分類は「小中高」であり、住所は「黒須市北駈茶町３−３」であり、地図入力情報１３のホームページＵＲＬは「ｈｔｔｐ：／／ｗｗｗ．ｃｉｔｙ．ｃｒｏｓ．ｊｐ／ｃｒｏｓｎ−ｅ／」であり、アンケート入力情報１２の管理番号は「０１０２５０４」、「０１０２５０５」、「０１０２５０６」である。他のデータは省略されている。
【０１１５】
次に、入力情報１０と基礎情報２０とを管理情報８０に基づいて関連付け、基本情報４０を作成する基本情報作成処理について、図２３乃至図３１のフローチャートを参照して説明する。
【０１１６】
図２３は、基本情報処理のフローチャートである。この基本情報処理は、サーバ５のＣＰＵ５０において、入力情報作成処理（図１９参照）により入力情報１０が作成された後に実施され、前回の実施時から今回の実施までに新たに入力情報１０に追加されたデータから基本情報４０のデータを作成、又は更新する。まず、ホームページ用入力情報１１の処理を行うホームページ用入力情報処理が行われ（Ｓ１）、次いで、アンケート入力情報１２の処理を行うアンケート入力情報処理が行われ（Ｓ２）、最後に地図入力情報１３の処理を行う地図入力情報処理が行われる（Ｓ３）。ホームページ用入力情報処理については、図２４及び図２５を参照して後述する。アンケート入力情報処理については、図２６及び図２７を参照して後述する。地図入力情報処理については、図２８及び図２９を参照して後述する。
【０１１７】
まず、図２４及び図２５を参照してホームページ用入力情報処理について説明する。まず、ホームページ用入力情報１１の１つのデータの読み込みが行われる（Ｓ１１）。そして、全てのデータの読み込みが終了しており、新たなデータの読み込みが行えなかった場合には（Ｓ１２：ＹＥＳ）、入力情報作成処理に戻る。全てのデータの読み込みが終了しておらず、データの読み込みが行えた場合には（Ｓ１２：ＮＯ）、処理を行うデータであるか否かの判断が行われる（Ｓ１３）。処理を行うデータであるか否かの判断は、「登録日」に記憶されている日付が本日以前であり、前回入力情報処理が行われた日付以後であるか否かにより行われ、この範囲の日付である場合には、処理を行うデータであると判断される。処理を行うデータであると判断されなかった場合には（Ｓ１３：ＮＯ）、Ｓ１１へ戻り、次のデータの読み込みが行われる（Ｓ１１）。
【０１１８】
処理を行うデータであると判断された場合には（Ｓ１３：ＹＥＳ）、キー管理情報８１に基づいて、住所基礎情報２１及び分類基礎情報２２のデータの読み込み、紹介基本情報４１のデータの読み込み又は新規作成が行われ、当該ホームページ用入力情報１１のデータが紹介基本情報４１に反映される（Ｓ１４〜Ｓ３３）。
【０１１９】
まず、キー管理情報８１のキー項目の順番をカウントする項目カウンタｍに初期値の「０」がセットされる（Ｓ１４）。そして、項目カウンタｍに「１」が加算される（Ｓ１５）。項目カウンタｍの値が最大項目数である「５」より大きくなければ（Ｓ１６：ＮＯ）、キー管理情報８１のホームページ用入力情報欄のｍ番目のキー項目に記憶されている値が「１」であり、キーとなる指定がされているか否かの判断が行われる（Ｓ１７）。キーとなる指定がされていない場合には（Ｓ１７：ＮＯ）、Ｓ１５へ戻る。キーとなる指定がされている場合には（Ｓ１７：ＹＥＳ）、読込中のホームページ用入力情報１１のデータのキー項目に値が記憶されているか否かの判断が行われる（Ｓ１８）。ここで、キー項目は、項目カウンタｍの値が「１」であれば「座標」であり、「２」であれば「名称」であり、「３」であれば「住所」であり、「４」であれば「電話番号」であり、「５」であれば「ＩＤ」である（図２０参照）。キー項目に値が記憶されていない場合には（Ｓ１８：ＮＯ）、そのキーで住所基礎情報２１を読み込むことはできないので、他のキー項目の確認をするためにＳ１５へ戻る。キー項目に値が記憶されている場合には（Ｓ１８：ＹＥＳ）、Ｓ１９へ進み、紹介基本情報４１のデータ反映を行うための処理が引き続き行われる。
【０１２０】
そして、項目カウンタｍの値が５より大きくなったら（Ｓ１６：ＹＥＳ）、キー管理情報８１の全ての項目について処理が行われたことになる。つまり、ホームページ用入力情報１１の当該データは、キーによる住所基礎情報２１等の読み込みが行えず、紹介基本情報４１にデータの反映が行えなかったということになる。そこで、当該データについて、紹介基本情報４１にデータの反映が行えなかったことへのエラー処理が行われる（Ｓ２４）。例えば、サーバ５のＣＲＴ６０にエラーメッセージを表示したり、エラーリスト印刷用のデータを作成したり、エラーデータの内容が記憶されたデータファイルを作成したりする。そして、Ｓ１１へ戻り、次のデータの処理が実施される。
【０１２１】
図２０に示す例では、ホームページ用入力情報１１では、項目カウンタｍの値が「２」及び「４」すなわち、「名称」及び「電話番号」がキー項目として指定されている。そこで、項目カウンタｍの値が「２」となった場合に、読込中のホームページ用入力情報１１のデータの「名称」欄に値が記憶されているか否かの判断が行われ（Ｓ１８）、「名称」欄に値が記憶されていれば（Ｓ１８：ＹＥＳ）、Ｓ１９へ進む。「名称」欄が記憶されていなければ（Ｓ１８：ＮＯ）、Ｓ１５へ戻り、項目カウンタｍの値に「１」が加算され、「３」となり（Ｓ１５）、項目カウンタｍの値「３」、すなわち「住所」はキー項目に指定されていないので（Ｓ１７：ＮＯ）、Ｓ１５へ戻り、さらに項目カウンタｍの値に「１」が加算されて「４」となり（Ｓ１５）、項目カウンタｍの値「４」、すなわち「電話番号」はキー項目に指定されているので（Ｓ１７：ＹＥＳ）、読込中のホームページ用入力情報１１のデータの「電話番号」欄に値が記憶されているか否かの判断が行われ（Ｓ１８）、「電話番号」欄に値が記憶されていれば（Ｓ１８：ＹＥＳ）、Ｓ１９へ進む。
【０１２２】
「電話番号」欄に値が記憶されていなければ（Ｓ１８：ＮＯ）、Ｓ１５へ戻り、更に項目カウンタｍの値に「１」が加算され、「５」となるが（Ｓ１５）、項目カウンタｍの値「５」、すなわち「ＩＤ」はキー項目に指定されていない（Ｓ１７：ＮＯ）。そこで、Ｓ１５へ戻り、さらに項目カウンタｍの値に「１」が加算されて「６」となると（Ｓ１５）、項目カウンタｍの値が「５」より大きくなっているので、（Ｓ１６：ＹＥＳ）、エラー処理が行われ（Ｓ２４）、Ｓ１１へ戻る。
【０１２３】
ホームページ用入力情報１１のキー項目に値が記憶されていた場合には（Ｓ１８：ＹＥＳ）、住所基礎情報２１のキー項目の値が、読込中のホームページ用入力情報１１のキー項目に記憶されていた値であるデータを読み込みが行われる（Ｓ１９）。そして、該当するデータがなかった場合には（Ｓ２０：ＮＯ）、Ｓ１５へ戻り、次のキー項目の処理が行われる。データがあった場合には（Ｓ２０：ＹＥＳ）、読み込まれたデータの大分類欄、中分類欄、小分類欄に記憶されている区分が、読込中のホームページ用入力情報１１のデータの大分類、中分類、小分類と一致するか否かの判断が行われる（Ｓ２１）。区分が一致していない場合には（Ｓ２１：ＮＯ）、一致する住所基礎情報２１のデータを読み込むために、Ｓ１９へ戻る。区分が一致していた場合には（Ｓ２１：ＹＥＳ）、その分類の区分の分類基礎情報２２のデータの読み込みが行われる（Ｓ２２）。当該分類の区分のデータがなかった場合には（Ｓ２３：ＮＯ）、住所基礎情報２１に記憶されている分類の区分のデータが、分類基礎情報２２に存在しなかったことになるので、エラー処理が行われ（Ｓ３６）、Ｓ１５へ進む。例えば、サーバ５のＣＲＴ６０にエラーメッセージを表示したり、エラーリスト印刷用のデータを作成したり、エラーデータの内容が記憶されたデータファイルを作成したりする。そして、Ｓ１１へ戻り、次のデータの処理が実施される。
【０１２４】
分類基礎情報２２のデータの読み込みにより、データがあった場合には（Ｓ２３：ＹＥＳ）、読込中の住所基礎情報２１のｘ座標及びｙ座標をキーとして、紹介基本情報４１の読み込みが行われる（Ｓ２５）。そして、該当するデータがあった場合には（Ｓ２６：ＹＥＳ）、読込中のホームページ用入力情報１１のデータの大分類欄、中分類欄、小分類欄に記憶されている区分と一致するか否かの判断が行われる（Ｓ２７）。区分が一致していない場合には（Ｓ２７：ＮＯ）、一致する紹介基本情報４１のデータを読み込むために、Ｓ２５へ戻る。また、該当するデータがなかった場合には（Ｓ２６：ＮＯ）、読込中の住所基礎情報２１のｘ座標，ｙ座標，大分類，中分類及び小分類の紹介基本情報４１のデータが新規に作成される（Ｓ２８）。
【０１２５】
そして、読み込まれた紹介基本情報４１の区分が一致していた場合（Ｓ２７：ＹＥＳ）、又は、新規データが作成された場合（Ｓ２８）には、読込中のホームページ用入力情報、読込中の住所基礎情報２１、読込中の分類基礎情報２２から、読込中または新規作成した紹介基本情報４１の各項目に値をセットし、紹介基本情報４１に書き込みが行われる（Ｓ２９）。具体的には、名称欄には、読込中の住所基礎情報２１のデータの名称欄に記憶されている値がセットされる。住所欄には、読込中の住所基礎情報２１のデータの住所欄に記憶されている値がセットされる。アイコン欄には、読込中の分類基礎情報２２のデータのアイコン欄に記憶されている値がセットされる。ホームページ用の入力情報の管理番号欄には、読込中のホームページ用入力情報のデータの管理番号が、追加される。なお、このホームページ用入力情報の管理番号欄は複数も受けられており、すでに値が記憶されている場合には、追加して記憶される。
【０１２６】
そして、読込中のホームページ用入力情報１１のデータについて、値が記憶されていない項目があれば、読込中の住所基礎情報２１、読込中の分類基礎情報２２から値がセットされ、記憶される（Ｓ３０〜Ｓ３５）。そして、Ｓ１１へ戻り、次のデータの処理が実施される。具体的には、読込中のホームページ用入力情報１１のデータの名称欄に値が記憶されているか否かの判断が行われ（Ｓ３０）、記憶されていない場合には（Ｓ３０：ＮＯ）、住所基礎情報２１の名称欄に記憶されている値がセットされる（Ｓ３１）。また、読込中のホームページ用入力情報１１のデータの電話番号欄にデータが記憶されていない場合には（Ｓ３２：ＮＯ）、住所基礎情報２１の電話番号欄に記憶されている値がセットされる（Ｓ３３）。そして、Ｓ３１又はＳ３２で新たなデータがセットされていた場合には（Ｓ３４：ＹＥＳ）、読込中のデータがホームページ用入力情報１１に記憶される（Ｓ３５）。この新たなデータがセットされたか否かの判断は、フラグを用いてＳ３１又はＳ３２でデータのセットが行われた場合に所定のフラグを「ＯＮ」とするようにしてもよい。また、読み込んだアンケート入力情報１２のデータを、比較のために別の記憶エリアに比較用データとして記憶しておき、その比較用データと読み込んだデータとを比較し、異なっているか否かにより判断してもよい。
【０１２７】
そして、Ｓ１１へ戻り、次のホームページ用入力情報１１のデータの読み込みが行われ（Ｓ１１）、全てのデータの読み込みが終了していれば（Ｓ１２：ＹＥＳ）、入力情報作成処理へ戻る。全てのデータの読み込みが終了していなければ（Ｓ１２：ＮＯ）、Ｓ１３〜Ｓ３６の処理が引き続き行われ、紹介基本情報４１の更新が行われる。
【０１２８】
入力情報作成処理へ戻ると、次には、アンケート入力情報処理が行われる（Ｓ２）。そこで、図２６及び図２７を参照して、アンケート入力情報処理について説明する。まず、アンケート入力情報１２の１つのデータの読み込みが行われる（Ｓ５１）。そして、全てのデータの読み込みが終了しており、新たなデータの読み込みが行えなかった場合には（Ｓ５２：ＹＥＳ）、入力情報作成処理に戻る。全てのデータの読み込みが終了しておらず、データの読み込みが行えた場合には（Ｓ５２：ＮＯ）、処理を行うデータであるか否かの判断が行われる（Ｓ５３）。処理を行うデータであるか否かの判断は、「登録日」に記憶されている日付が本日以前であり、前回入力情報処理が行われた日付以後であるか否かにより行われ、この範囲の日付である場合には、処理を行うデータであると判断される。処理を行うデータであると判断されなかった場合には（Ｓ５３：ＮＯ）、Ｓ５１へ戻り、次のデータの読み込みが行われる（Ｓ５１）。
【０１２９】
処理を行うデータであると判断された場合には（Ｓ５３：ＹＥＳ）、キー管理情報８１に基づいて、住所基礎情報２１のデータの読み込み、塗り分け地図基本情報４２のデータの読み込み又は新規作成が行われ、当該アンケート入力情報１２のデータが塗り分け地図基本情報４２に反映される（Ｓ５４〜Ｓ７３）。
【０１３０】
まず、キー管理情報８１のキー項目の順番をカウントする項目カウンタｐに初期値の「０」がセットされる（Ｓ５４）。そして、項目カウンタｐに「１」が加算される（Ｓ５５）。項目カウンタｐの値が最大項目数である「５」より大きくなければ（Ｓ５６：ＮＯ）、キー管理情報８１のアンケート入力情報欄のｐ番目のキー項目に記憶されている値が「１」であり、キーとなる指定がされているか否かの判断が行われる（Ｓ５７）。キーとなる指定がされていない場合には（Ｓ５７：ＮＯ）、Ｓ５５へ戻る。キーとなる指定がされている場合には（Ｓ５７：ＹＥＳ）、読込中のアンケート入力情報１２のデータのキー項目に値が記憶されているか否かの判断が行われる（Ｓ５８）。ここで、キー項目は、項目カウンタｐの値が「１」であれば「座標」であり、「２」であれば「名称」であり、「３」であれば「住所」であり、「４」であれば「電話番号」であり、「５」であれば「ＩＤ」である（図２０参照）。キー項目に値が記憶されていない場合には（Ｓ５８：ＮＯ）、そのキーで住所基礎情報２１を読み込むことはできないので、他のキー項目の確認をするためにＳ５５へ戻る。キー項目に値が記憶されている場合には（Ｓ５８：ＹＥＳ）、Ｓ５９へ進み、データが塗り分け地図基本情報４２のデータ反映を行うための処理が引き続き行われる。
【０１３１】
そして、項目カウンタｐの値が５より大きくなったら（Ｓ５６：ＹＥＳ）、キー管理情報８１の全ての項目について処理が行われたことになる。つまり、アンケート入力情報１２の当該データは、キーによる住所基礎情報２１等の読み込みが行えず、塗り分け地図基本情報４２にデータの反映が行えなかったということになる。そこで、当該データについて、塗り分け地図基本情報４２にデータの反映が行えなかったことへのエラー処理が行われる（Ｓ６２）。例えば、サーバ５のＣＲＴ６０にエラーメッセージを表示したり、エラーリスト印刷用のデータを作成したり、エラーデータの内容が記憶されたデータファイルを作成したりする。そして、Ｓ５１へ戻り、次のデータの処理が実施される。
【０１３２】
アンケート入力情報１２のキー項目に値が記憶されていた場合には（Ｓ５８：ＹＥＳ）、住所基礎情報２１のキー項目の値が、読込中のアンケート入力情報１２のキー項目に記憶されていた値であるデータを読み込みが行われる（Ｓ５９）。そして、該当するデータがなかった場合には（Ｓ６０：ＮＯ）、Ｓ５５へ戻り、次のキー項目の処理が行われる。データがあった場合には（Ｓ６０：ＹＥＳ）、読み込まれたデータの大分類欄、中分類欄、小分類欄に記憶されている区分が、読込中のアンケート入力情報１２のデータの大分類、中分類、小分類と一致するか否かの判断が行われる（Ｓ６１）。区分が一致していない場合には（Ｓ６１：ＮＯ）、一致する住所基礎情報２１のデータを読み込むために、Ｓ５９へ戻る。
【０１３３】
区分が一致していた場合には（Ｓ６１：ＹＥＳ）、読込中の住所基礎情報２１のＩＤをキーとして、塗り分け地図基本情報４２の読み込みが行われる（Ｓ６３）。そして、該当するデータがあった場合には（Ｓ６４：ＹＥＳ）、読込中のアンケート入力情報１２のデータの大分類、中分類、小分類と一致するか否かの判断が行われる（Ｓ６５）。区分が一致していない場合には（Ｓ６５：ＮＯ）、一致する塗り分け地図基本情報４２のデータを読み込むために、Ｓ６３へ戻る。また、該当するデータがなかった場合には（Ｓ６４：ＮＯ）、読込中の住所基礎情報２１のＩＤ，大分類，中分類及び小分類の塗り分け地図基本情報４２のデータが新規に作成される（Ｓ６６）。
【０１３４】
そして、読み込まれた塗り分け地図基本情報４２の区分が一致していた場合（Ｓ６５：ＹＥＳ）、又は、新規データが作成された場合（Ｓ６６）には、読込中のアンケート入力情報、読込中の住所基礎情報２１から、読込中または新規作成した塗り分け地図基本情報４２の各項目に値をセットし、塗り分け地図基本情報４２に書き込みが行われる（Ｓ６７）。具体的には、ＩＤ欄には、読込中の住所基礎情報２１のデータのＩＤ欄に記憶されている値がセットされる。住所欄には、読込中の住所基礎情報２１のデータの住所欄に記憶されている値がセットされる。地図入力情報のホームページＵＲＬ欄には、ここでは何もセットされない。アンケート入力情報の管理番号欄には、読込中のアンケート入力情報のデータの管理番号が、追加される。なお、このアンケート入力情報の管理番号欄は複数も受けられており、すでに値が記憶されている場合には、追加して記憶される。
【０１３５】
そして、読込中のアンケート入力情報１２のデータについて、値が記憶されていない項目があれば、読込中の住所基礎情報２１から値がセットされ、記憶される（Ｓ６８〜Ｓ７３）。そして、Ｓ５１へ戻り、次のデータの処理が実施される。具体的には、読込中のアンケート入力情報１２のデータの名称欄に値が記憶されているか否かの判断が行われ（Ｓ６８）、記憶されていない場合には（Ｓ６８：ＮＯ）、住所基礎情報２１の名称欄に記憶されている値がセットされる（Ｓ６９）。また、読込中のアンケート入力情報１２のデータのＩＤ欄にデータが記憶されていない場合には（Ｓ７０：ＮＯ）、住所基礎情報２１のＩＤ欄に記憶されている値がセットされる（Ｓ７１）。そして、Ｓ６９又はＳ７１で新たなデータがセットされていた場合には（Ｓ７２：ＹＥＳ）、読込中のデータがアンケート入力情報１２に記憶される（Ｓ７３）。この新たなデータがセットされたか否かの判断は、フラグを用いてＳ６９又はＳ７１でデータのセットが行われた場合に所定のフラグを「ＯＮ」とするようにしてもよい。また、読み込んだアンケート入力情報１２のデータを、比較のために別の記憶エリアに比較用データとして記憶しておき、その比較用データと読み込んだデータとを比較し、異なっているか否かにより判断してもよい。
【０１３６】
そして、Ｓ５１へ戻り、次のアンケート入力情報１２のデータの読み込みが行われ（Ｓ５１）、全てのデータの読み込みが終了していれば（Ｓ５２：ＹＥＳ）、入力情報作成処理へ戻る。全てのデータの読み込みが終了していなければ（Ｓ５２：ＮＯ）、Ｓ５３〜Ｓ７３の処理が引き続き行われ、データが塗り分け地図基本情報４２の更新が行われる。
【０１３７】
次に、図２８及び図２９を参照して地図入力情報処理について説明する。まず、地図入力情報１３の１つのデータを読み込みが行われる（Ｓ１０１）。そして、全てのデータの読み込みが終了しており、新たなデータの読み込みが行えなかった場合には（Ｓ１０２：ＹＥＳ）、入力情報作成処理に戻る。全てのデータの読み込みが終了しておらず、データの読み込みが行えた場合には（Ｓ１０２：ＮＯ）、処理を行うデータであるか否かの判断が行われる（Ｓ１０３）。処理を行うデータであるか否かの判断は、「登録日」に記憶されている日付が本日以前であり、前回入力情報処理が行われた日付以後であるか否かにより行われ、この範囲の日付である場合には、処理を行うデータであると判断される。処理を行うデータであると判断されなかった場合には（Ｓ１０３：ＮＯ）、Ｓ１０１へ戻り、次のデータの読み込みが行われる（Ｓ１０１）。
【０１３８】
処理を行うデータであると判断された場合には（Ｓ１０３：ＹＥＳ）、キー管理情報８１に基づいて、住所基礎情報２１のデータの読み込み、塗り分け地図基本情報４２のデータの読み込み又は新規作成が行われ、当該地図入力情報１３のデータが塗り分け地図基本情報４２に反映される（Ｓ１０４〜Ｓ１２９）。
【０１３９】
まず、キー管理情報８１のキー項目の順番をカウントする項目カウンタｑに初期値の「０」がセットされる（Ｓ１０４）。そして、項目カウンタｑに「１」が加算される（Ｓ１０５）。項目カウンタｑの値が最大項目数である「５」より大きくなければ（Ｓ１０６：ＮＯ）、キー管理情報８１の地図入力情報欄のｑ番目のキー項目に記憶されている値が「１」であり、キーとなる指定がされているか否かの判断が行われる（Ｓ１０７）。キーとなる指定がされていない場合には（Ｓ１０７：ＮＯ）、Ｓ１０５へ戻る。キーとなる指定がされている場合には（Ｓ１０７：ＹＥＳ）、読込中の地図入力情報１３のデータのキー項目に値が記憶されていか否かの判断が行われる（Ｓ１０８）。ここで、キー項目は、項目カウンタｑの値が「１」であれば「座標」であり、「２」であれば「名称」であり、「３」であれば「住所」であり、「４」であれば「電話番号」であり、「５」であれば「ＩＤ」である（図２０参照）。キー項目に値が記憶されていない場合には（Ｓ１０８：ＮＯ）、そのキーで住所基礎情報２１を読み込むことはできないので、他のキー項目の確認をするためにＳ１０５へ戻る。キー項目に値が記憶されている場合には（Ｓ１０８：ＹＥＳ）、Ｓ１０９へ進み、データが塗り分け地図基本情報４２のデータ反映を行うための処理が引き続き行われる。
【０１４０】
そして、項目カウンタｑの値が５より大きくなったら（Ｓ１０６：ＹＥＳ）、キー管理情報８１の全ての項目について処理が行われたことになる。つまり、地図入力情報１３の当該データは、キーによる住所基礎情報２１等の読み込みが行えず、塗り分け地図基本情報４２にデータの反映が行えなかったということになる。そこで、当該データについて、塗り分け地図基本情報４２にデータの反映が行えなかったことへのエラー処理が行われる（Ｓ１１７）。例えば、サーバ５のＣＲＴ６０にエラーメッセージを表示したり、エラーリスト印刷用のデータを作成したり、エラーデータの内容が記憶されたデータファイルを作成したりする。そして、Ｓ１０１へ戻り、次のデータの処理が実施される。
【０１４１】
地図入力情報１３のキー項目に値が記憶されていた場合には（Ｓ１０８：ＹＥＳ）、住所基礎情報２１のキー項目の値が、読込中の地図入力情報１３のキー項目に記憶されていた値であるデータを読み込みが行われる（Ｓ１０９）。そして、該当するデータがなかった場合には（Ｓ１１０：ＮＯ）、Ｓ１０５へ戻り、次のキー項目の処理が行われる。データがあった場合には（Ｓ１１０：ＹＥＳ）、読み込まれたデータの大分類欄、中分類欄、小分類欄に記憶されている区分が、読込中の地図入力情報１３のデータの大分類、中分類、小分類と一致するか否かの判断が行われる（Ｓ１１１）。区分が一致していない場合には（Ｓ１１１：ＮＯ）、一致する住所基礎情報２１のデータを読み込むために、Ｓ１０９へ戻る。
【０１４２】
区分が一致していた場合には（Ｓ１１１：ＹＥＳ）、読込中の住所基礎情報２１の住所をキーとして、塗り分け地図基本情報４２の読み込みが行われる（Ｓ１１２）。そして、該当するデータがあった場合には（Ｓ１１３：ＹＥＳ）、読込中の地図入力情報１３のデータの大分類、中分類、小分類と一致するか否かの判断が行われる（Ｓ１１５）。区分が一致していない場合には（Ｓ１１５：ＮＯ）、一致する塗り分け地図基本情報４２のデータを読み込むために、Ｓ１１３へ戻る。また、該当するデータがなかった場合には（Ｓ１１３：ＮＯ）、読込中の住所基礎情報２１の住所，大分類，中分類及び小分類の塗り分け地図基本情報４２のデータが新規に作成される（Ｓ１１４）。
【０１４３】
そして、読み込まれた塗り分け地図基本情報４２の区分が一致していた場合（Ｓ１１５：ＹＥＳ）、又は、新規データが作成された場合（Ｓ１１４）には、読込中の地図入力情報、読込中の住所基礎情報２１から、読込中または新規作成した塗り分け地図基本情報４２の各項目に値をセットし、塗り分け地図基本情報４２に書き込みが行われる（Ｓ１１６）。具体的には、ＩＤ欄には、読込中の住所基礎情報２１のデータのＩＤ欄に記憶されている値がセットされる。住所欄には、読込中の住所基礎情報２１のデータの住所欄に記憶されている値がセットされる。地図入力情報のホームページＵＲＬ欄には、読込中の地図入力情報のホームページＵＲＬ欄の値がセットされる。アンケート入力情報の管理番号欄には、ここでは何もセットされない。
【０１４４】
そして、読込中の地図入力情報１３のデータについて、値が記憶されていない項目があれば、読込中の住所基礎情報２１から値がセットされ、記憶される（Ｓ１１８〜Ｓ１２９）。そして、Ｓ１０１へ戻り、次のデータの処理が実施される。
【０１４５】
具体的には、読込中の地図入力情報１３のデータの名称欄に値が記憶されているか否かの判断が行われ（Ｓ１１８）、記憶されていない場合には（Ｓ１１８：ＮＯ）、住所基礎情報２１の名称欄に記憶されている値がセットされる（Ｓ１１９）。また、読込中の地図入力情報１３のデータの住所欄にデータが記憶されていない場合には（Ｓ１２０：ＮＯ）、住所基礎情報２１の住所欄に記憶されている値がセットされる（Ｓ１２１）。また、読込中の地図入力情報１３のデータの電話番号欄にデータが記憶されていない場合には（Ｓ１２２：ＮＯ）、住所基礎情報２１の電話番号欄に記憶されている値がセットされる（Ｓ１２３）。また、読込中の地図入力情報１３のデータのホームページ用入力情報の管理番号欄にデータが記憶されていない場合には（Ｓ１２４：ＮＯ）、読込中の地図入力情報１３の「名称」読み込み（Ｓ１２５）、データがあれば（Ｓ１２６：ＹＥＳ）、そのデータの管理番号をセットする（Ｓ１２７）。データがなければ（Ｓ１２６：ＮＯ）、何もしない。
【０１４６】
そして、Ｓ１１９、Ｓ１２１、Ｓ１２３又はＳ１２７で新たなデータがセットされていた場合には（Ｓ１２８：ＹＥＳ）、読込中のデータが地図入力情報１３に記憶される（Ｓ１２９）。この新たなデータがセットされたか否かの判断は、フラグを用いてＳ１１９、Ｓ１２１、Ｓ１２３又はＳ１２７でデータのセットが行われた場合に所定のフラグを「ＯＮ」とするようにしてもよい。また、読み込んだ地図入力情報１３のデータを、比較のために別の記憶エリアに比較用データとして記憶しておき、その比較用データと読み込んだデータとを比較し、異なっているか否かにより判断してもよい。
【０１４７】
そして、Ｓ１０１へ戻り、次の地図入力情報１３のデータの読み込みが行われ（Ｓ１０１）、全てのデータの読み込みが終了していれば（Ｓ１０２：ＹＥＳ）、入力情報作成処理へ戻る。全てのデータの読み込みが終了していなければ（Ｓ１０２：ＮＯ）、Ｓ１０３〜Ｓ１２３の処理が引き続き行われ、データが塗り分け地図基本情報４２の更新が行われる。
【０１４８】
以上説明したように、情報提供者は、情報提供者端末装置３を操作して、インターネット２を介してサーバ５に接続して、情報提供者端末装置３の画面に表示される各種入力画面に情報を入力することにより、サーバ５からユーザ端末装置４に地図を用いて提供される情報の基になる情報を登録することができる。そして、サーバ５では、情報提供者端末装置３から登録された情報を個別ホームページ用入力データ１１１、個別アンケート入力データ１２１、個別地図入力データ１３１として記憶する。さらに、サーバ５では、入力情報作成処理により個別ホームページ用入力データ１１１、個別アンケート入力データ１２１、個別地図入力データ１３１、既存ホームページ情報１１２から入力情報１０を作成することができる。そして、基本情報作成処理において、キー管理情報８１に従い入力情報１０と基礎情報２０とを関連づけ、入力情報１０から基本情報４０を作成する。したがって、「地図情報提供サービスシステム」及び「塗り分け地図情報提供サービスシステム」で使用する基本情報４０（紹介基本情報４１、塗り分け地図基本情報４２）を、情報提供者が情報提供者端末装置３に表示された入力画面に情報を入力した情報から作成することができる。
【０１４９】
尚、図１１に示すホームページ用入力情報１１、図１２に示すアンケート入力情報１２、図１３に示す地図入力情報１３を記憶する入力情報記憶エリア５８０が「入力情報記憶手段」として機能し、図１９に示す住所基礎情報２１を記憶する基礎情報記憶エリア５８１が「住所基礎情報記憶手段」として機能し、図１７に示す分類基礎情報２２を記憶する基礎情報記憶エリア５８１が「分類基礎情報記憶手段」として機能し、図２０に示すキー管理情報８１を記憶する管理情報記憶エリア５８２が「キー情報記憶手段」として機能し、図２１に示す紹介基本情報４１、図２２に示す塗り分け地図基本情報４２を記憶する基本情報記憶エリア５８３が「基本情報記憶手段」として機能し、図１６に示す既存ホームページ情報１１２を記憶する入力情報記憶エリア５８０が「既存ホームページ情報記憶手段」として機能する。
【０１５０】
また、図１５に示す、サーバ５で行われるサーバ側入力画面処理のフローチャートのＳ２３６の処理、及び、図１８に示す、サーバ５で行われる入力情報作成処理の処理を実行するサーバ５のＣＰＵ５０が「入力手段」に相当する。また、図２３乃至図２９に示す、サーバ５で行われる基本情報作成処理を実行するＣＰＵ５０が「基本情報作成手段」に相当する。
【０１５１】
また、図１８に示す、サーバ５で行われる入力情報作成処理のフローチャートのＳ３１６の処理を実行するサーバ５のＣＰＵ５０が「キーワード計数手段」に相当し、Ｓ３１９の処理を実行するサーバ５のＣＰＵ５０が「区分決定手段」に相当し、Ｓ３１０〜Ｓ３２１の処理を実行するサーバ５のＣＰＵ５０が「既存ホームページ情報反映手段」に相当する。
【０１５２】
また、図１４に示す、情報提供者端末装置３で行われる入力画面処理のフローチャートのＳ２０３の処理を実行する情報提供者端末装置３のＣＰＵが「入力画面情報受信手段」に相当し、Ｓ２０４の処理を実行する情報提供者端末装置３のＣＰＵが「入力画面生成手段」に相当し、Ｓ２１２の処理を実行する情報提供者端末装置３のＣＰＵが「入力データ送信手段」に相当する。また、情報提供者端末装置３のディスプレイが「画面表示手段」として機能し、情報提供者端末装置３のキーボード、マウス等の入力装置が「データ入力手段」として機能する。また、図１５に示す、サーバ５で行われるサーバ側入力画面処理のフローチャートのＳ２３１の処理を実行するサーバ５のＣＰＵ５０が「入力画面情報作成手段」に相当し、Ｓ２３２の処理を実行するサーバ５のＣＰＵ５０が「入力画面情報送信手段」に相当し、Ｓ２３６の処理を実行するサーバ５のＣＰＵ５０が「入力データ受信手段」に相当する。
【０１５３】
尚、上記実施の形態では、住所基本情報２１からデータを読み込む際に、住所や名称をキーとして、キー項目の値が一致するデータを読み込みている。ここで、住所や名称では入力文字数字の全角、半角、ローマ字の大文字、小文字、略称の使用等で同じ住所や名称を意図していても、一致しないと判断されることが考えられる。そこで、本実施の形態では、住所基本情報２１からデータを読み込む際に、住所基本情報２１の値の形式と一致させるように、読み込みに使用する値を変換する。
【０１５４】
例えば、住所がキー項目となっている場合には、カタカナは全て全角のカタカナに変換し、ローマ字は全て大文字に変換し、数字は全て全角数字に変換し、漢数字は全て全角算用数字に変換し、スペースは全て削除する。また、「丁目」、「番地」、「番」、「大字」、「字」、「ノ」、「ヶ」、「が」、「地」、ハイフンや点等の記号も全て削除する。また、例えば、名称がキー項目となっている場合には、カタカナは全て全角のカタカナに変換し、ローマ字は全て大文字に変換し、数字は全て全角数字に変換し、漢数字は全て全角算用数字に変換し、スペースは全て削除する。そして、「株式会社」、「株）」、「（株」、「（株）」等の会社種類や法人種類、団体種類を示す語句、ハイフンや点等の記号は全て削除する。また、電話番号では、数字意外の文字は削除している。
【０１５５】
また、この際に、住所及び名称については、１００％一致しなくても、所定の割合（例えば、８０％）で一致していれば、一致すると判断して、そのデータを読み込むようにしている。但し、電話番号及びＩＤについては、曖昧さを持たせる必要のない種類の項目であるので、１００％一致しなければならないとしている。また、座標については、上記実施の形態では、小数点以下５桁まで使用しているが、小数点以下３桁まで一致していれば、一致すると判断して、そのデータを読み込むようにしてもよい。尚、データとして記憶する桁数は、小数点以下５桁に限らず、小数点以下３桁としたり、１０桁としたり、５桁以上であっても以下であってもよい。
【０１５６】
尚、上記実施の形態では、施設又は場所が属する分類の区分を示すのに、大分類、中分類、小分類の区分名を使用しているが、これらは数字や符号を用いた分類コードを使用してもよい。また、３つの階層により分類を行っているが、これば３つの階層に限らず、それ以上であってもそれ以下であってもよい。
【０１５７】
尚、上記実施の形態では、住所基礎情報２１のデータ項目は、上記で説明したものに限らず、他のデータ項目を設けてもよい。例えば、郵便番号、住所を示すＪＩＳコード等である。また、分類基礎情報２２のデータ項目も、上記で説明したものに限らず、他のデータ項目を設けてもよい。例えば、分類コードや各分類の説明文等である。
【０１５８】
また、入力情報として、ホームページ用入力情報１１、アンケート入力情報１２、地図入力情報１３の３種類を扱っているが、入力情報はこれらに限らず、他の種類の情報を扱ってもよい。例えば、防災・災害情報として、項目に名称、住所、発生日付、防災・災害情報内容、写真、映像、災害図、住所基本情報２１のＩＤ、分類コード、郵便番号、住所を示すＪＩＳコード等を設けた情報を扱ってもよい。そして、この防災・災害情報に基づいて、防災・災害に関する情報を地図に反映させて提供してもよい。
【０１５９】
また、上記実施の形態で扱った個別ホームページ用入力データ１１１及びホームページ用入力情報１１のデータ項目は、上記で説明したものに限らず、他のデータ項目を設けてもよい。例えば、ホームページタイトル欄、住所欄、メールアドレス欄、ホームページ作成後のＵＲＬ、分類コード、郵便番号、住所を示すＪＩＳコード等である。また、写真、映像、図表、音声等のデータを記憶させるようにしてもよい。また、個別アンケート入力データ１２１及びアンケート入力情報１２についても、上記で説明したものに限らず、他のデータ項目を設けてもよい。例えば、アンケート名、アンケート内容等である。また、個別地図入力データ１３１及び地図入力情報１３についても、上記で説明したものに限らず、他のデータ項目を設けてもよい。例えば、各データを識別する管理番号、写真、映像、図表、音声等のデータ、住所基本情報２１のＩＤ、施設や場所の説明や紹介文、分類コード、郵便番号、住所を示すＪＩＳコード等である。
【０１６０】
また、上記実施の形態では、基本情報作成処理において、読み込まれた入力情報１０が処理を行うデータであるか否かの判断を登録日の日付により判断しているが、この判断は日付によるものに限らず、処理済の場合には「１」を記憶しておくような処理欄を設け、その値により判断するようにしてもよい。また、上記実施の形態では、処理済のデータと未処理のデータとを１つの入力情報１０として記憶しているが、未処理のデータのみで１つの入力情報を構成するようにしてもよい。この場合には、基本情報作成処理において、処理をするデータあるか否かの判断をする必要はない。また、処理後のデータは、過去の処理済みのデータとまとめて記憶させておいてもよいし、基本情報作成処理を行ったまとまり毎に記憶させておいてもよい。
【０１６１】
また、上記実施の形態では、基本情報として、紹介基本情報４１及び塗り分け地図基本情報４２の２種類を扱っているが、基本情報はこれらに限らず、他の地図を使用した情報提供サービスにおいて、提供情報の基になるデータとして使用される情報を扱ってもよい。また、紹介基本情報４１のデータ項目は、上記で説明したものに限らず、他のデータ項目を設けてもよい。例えば、分類コード、郵便番号、住所を示すＪＩＳコード、データ作成日付等である。また、塗り分け地図基本情報４２のデータ項目は、上記で説明したものに限らず、他のデータ項目を設けてもよい。例えば、分類コード、郵便番号、住所を示すＪＩＳコード、データ作成日付等である。
【０１６２】
また、上記実施の形態では、紹介基本情報４１を作成する際には、ホームページ用入力情報１１を使用し、塗り分け地図基本情報４２を作成する際には、アンケート入力情報１２及び地図入力情報１３を使用している。しかしながら、これらの基本情報４０を作成する際に使用する入力情報１の組み合わせはこれに限らず、基本情報４０のデータ項目の種類によっては、紹介基本情報４１を作成する際に、アンケート入力情報１２又は地図入力情報１３を使用したり、塗り分け地図基本情報４２を作成する際に、ホームページ用入力情報１１を使用したりしてもよい。つまり、ホームページ用入力情報１１を使用して、紹介基本情報４１と塗り分け地図基本情報４２との両方にデータを反映させたり、片方のみにデータを反映させたりしてもよい。アンケート入力情報１２を使用して、紹介基本情報４１と塗り分け地図基本情報４２との両方にデータを反映させたり、片方のみにデータを反映させたりしてもよい。地図入力情報１３を使用して、紹介基本情報４１と塗り分け地図基本情報４２との両方にデータを反映させたり、片方のみにデータを反映させたりしてもよい。
【０１６３】
また、管理情報８として、どの入力情報をどの基本情報に反映させるかを指定するテーブルを持ってもよい。例えば、このテーブルでは、各入力情報毎に各基本情報の欄を持ち、「１」が記憶されていれば、その入力情報の内容がその基本情報に反映されることになる。
【０１６４】
また、上記実施の形態では、入力画面に入力された提供情報は、個別ホームページ用入力データ１１１、個別アンケート入力データ１２１、個別地図入力データ１３１として記憶され、入力情報作製処理により、ホームページ用入力情報１１、アンケート入力情報１２、地図入力情報１３へデータの追加が行われたが、提供情報を受信した際に、直接ホームページ用入力情報１１、アンケート入力情報１２、地図入力情報１３へデータを追加するようにしてもよい。また、入力情報１０へのデータの追加は、情報提供者端末装置３に表示された入力画面を用いて行うだけでなく、サーバ５のキーボード６１により情報提供サービス提供会社入力するようにしてもよい。
【０１６５】
【発明の効果】
以上、説明したように、請求項１に係る発明の情報提供サービスシステムでは、サーバの入力手段は、情報提供者から提供された情報を入力し、入力情報記憶手段は、入力手段で入力された情報である入力情報を記憶し、住所基礎情報記憶手段は、住所に関する情報である住所基礎情報を記憶し、分類基礎情報記憶手段は、地図上に表示される施設又は場所の分類に関する分類基礎情報を記憶し、キー情報記憶手段は、入力情報記憶手段に記憶された入力情報と、住所基礎情報記憶手段に記憶された住所基礎情報と、分類基礎情報記憶手段に記憶された分類基礎情報とを関連付けるキー情報を記憶し、基本情報作成手段は、キー情報記憶手段に記憶されたキー情報に基づいて、入力情報、住所基礎情報又は分類基礎情報から地図上の同一の施設又は場所に関するデータを抽出して、ユーザ端末装置へ提供する情報を作成する際に使用する情報である基本情報を作成し、基本情報記憶手段は、基本情報作成手段で作成された基本情報を記憶することができる。したがって、情報提供者から提供された入力情報と、予め記憶されている住所基礎情報又は分類基礎情報とをキー情報に基づいて、関連付けることにより基本情報を作成することができる。よって、住所基礎情報又は分類基礎情報に記憶されている項目の情報を入力情報として受け付ける必要がないため、入力する項目を減らすことができ、入力誤りも防ぐことができる。
【０１６６】
また、請求項２に係る発明の情報提供サービスシステムでは、請求項１に記載の発明の効果に加えて、前記住所基礎情報は、当該住所基礎情報の個々のデータを識別する住所識別符号、住所、名称、地図上の位置を示す座標、地図上の位置を示す符号、及び、電話番号のうちの少なくとも１つを用いることができる。したがって、住所識別符号、住所、名称、地図上の位置を示す座標、地図上の位置を示す符号、及び、電話番号のうちの少なくとも１つを、入力情報と関連付けるためのキーとして使用することができる。
【０１６７】
また、請求項３に係る発明の情報提供サービスシステムでは、請求項１又は２に記載の発明の効果に加えて、分類基礎情報は、地図上に表示される施設又は場所を部類する区分を示す区分識別符号、区分の名称、区分の内容に係わりの深い単語であるキーワード、区分に属する施設又は場所を地図上で示す際に用いられる画像データ、画像データの名称、及び、画像データの保存場所を示すデータのうちの少なくとも１つを用いることができる。したがって、区分識別符号、区分の名称、キーワード、区分に属する施設又は場所を地図上で示す際に用いられる画像データ、画像データの名称、及び、画像データの保存場所を示すデータを、入力情報と関連付けるためのキーとして使用することができる。
【０１６８】
また、請求項４に係る発明の情報提供サービスシステムでは、請求項１乃至３のいずれかに記載の発明の効果に加えて、入力情報は、データを識別するためのホームページ用データ識別符号、入力日付、施設又は場所の名称、電話番号、ホームページ用データの属する分類を示す区分の識別符号、区分の名称、提供する情報の内容、アンケートの設問番号、アンケートの質問内容及びアンケートの回答のうちの少なくとも１つを含むホームページ用入力情報、データを識別するためのアンケートデータ識別符号、アンケートを集計する際の集計区分、集計方法を示す符号、アンケートの回答、アンケートの属する分類を示す区分の識別符号、区分の名称、のうちの少なくとも１つを含むアンケート入力情報、又は、データを識別するための地図データ識別符号、地図データの属する分類を示す区分の識別符号、区分の名称、住所、電話番号、データが示す施設又は場所のホームページのＵＲＬ、ホームページの基になるデータが記憶されているホームページ用入力情報の識別符号のうちの少なくとも１つを含む地図入力情報のうちの少なくとも１つを用いることができる。したがって、入力情報の種類は１つに限らず、様々な情報を取り扱うことができる。また、入力情報は基本情報を作成するため以外の情報としても使用することができる。
【０１６９】
また、請求項５に係る発明の情報提供サービスシステムでは、請求項１乃至４のいずれかに記載の発明の効果に加えて、基本情報は、通信ネットワークに接続可能なユーザ端末装置と、地図を分割した領域に関する情報を提供するサーバとが通信ネットワークを介して接続し、サーバが、ユーザ端末装置で選択された、複数の領域に分割された地図のうちの少なくとも１つの領域を、ユーザ端末装置で選択された情報の種類に関して塗り分けられた塗り分け地図を作成し、ユーザ端末装置へ提供する塗り分け地図情報提供サービスシステムにおいて、塗り分け地図を作成する際に用いられる塗り分け地図基本情報であって、塗り分け地図基本情報の個々のデータを識別する塗り分け地図識別符号、地図上に表示される施設又は場所の名称、住所、電話暗号、施設又は場所が分類された区分を示す区分識別符号、アンケート入力情報の個別のデータを識別するためのアンケートデータ識別符号、及び、地図入力情報の個別のデータを識別するための地図データ識別符号のうちの少なくとも１つを用いることができる。したがって、サーバでは、塗り分け地図情報提供サービスシステムにおいて、塗り分け地図を作成する塗り分け地図基本情報を作成することができる。
【０１７０】
また、請求項６に係る発明の情報提供サービスシステムでは、請求項１乃至５のいずれかに記載の発明の効果に加えて、基本情報は、通信ネットワークに接続可能なユーザ端末装置と、地図と共に、地図上に表示される施設又は場所を紹介する紹介情報を提供するサーバとが通信ネットワークを介して接続した地図情報提供サービスシステムにおいて、紹介情報を作成する際に用いられる紹介基本情報であって、地図上の位置を示す座標、地図上の位置を示す符号、施設若しくは場所が分類された区分を示す分類識別符号、住所、及び、ホームページ用入力情報のホームページデータ識別符号のうちの少なくとも１つを用いることができる。したがって、情報提供サービスシステムでは、地図情報サービスシステムにおいて、紹介情報を作成する際に用いられる紹介基本情報を作成することができる。
【０１７１】
また、請求項７に係る発明の情報提供サービスシステムでは、請求項１乃至６のいずれかに記載の発明の効果に加えて、情報提供者端末装置は、通信ネットワークに接続可能であり、ユーザ端末装置へ提供する情報を入力することができる。また、サーバの入力画面情報作成手段は、情報提供者が提供する情報を入力する入力画面を生成するための入力画面情報作成し、入力画面情報送信手段は、入力画面情報作成手段で作成された入力画面情報を情報提供者端末装置へ送信し、入力データ受信手段は、情報提供者端末装置において入力画面に入力された入力データを情報提供者端末装置から受信することができる。また、情報提供者端末装置の入力画面情報受信手段は、入力画面送信手段から送信された入力画面情報を受信し、入力画面生成手段は、入力画面情報受信手段が受信した入力画面情報から入力画面を生成し、画面表示手段は、入力画面生成手段が生成した入力画面を表示し、データ入力手段は、画面表示手段に表示されている入力画面にデータを入力し、入力データ送信手段は、入力情報入力手段で入力された入力データを入力データ受信手段へ送信することができる。また、サーバの入力手段は入力データ受信手段であり、入力データを入力情報として入力情報記憶手段に記憶することができる。したがって、入力情報の入力を情報提供者端末を用いて行うことができるので、サーバに直接データを入力をする必要がない。よって、サーバから離れた場所にいても、通信ネットワークに接続可能な情報提供端末から入力情報を入力することができるので、情報提供者が直接情報を入力することができる。したがって、情報提供サービスシステムの運営者の入力の手間が軽減される。また、情報提供者は手軽に入力をすることができるので、小まめな情報の更新が可能となる。さらに、運営者の手を介さないので、情報の提供から基本情報の作成、提供情報への反映までの時間が短くなる。
【０１７２】
また、請求項８に係る発明の情報提供サービスシステムでは、請求項１乃至７のいずれかに記載の発明の効果に加えて、サーバの既存ホームページ情報記憶手段は、既存のホームページのＵＲＬ、及び、ホームページに記載されている施設又は場所を含む情報である既存ホームページ情報を記憶し、キーワード計数手段は、既存ホームページ情報記憶手段に記憶されているＵＲＬのホームページに記載された文言のなかに含まれている、分類基礎情報のキーワードの数を区分毎に計数し、区分決定手段は、キーワード計数手段により計数された区分毎の数を比較し、最も計数された数が多かった区分を、ホームページの属する区分と決定し、既存ホームページ情報反映手段は、区分決定手段により決定された区分、及び、ホームページに記載されている施設又は場所の名称を、入力情報記憶手段に記憶されている入力情報に記憶させる。また、サーバの入力手段は、既存ホームページ情報反映手段とすることができる。したがって、既存のホームページの内容に含まれるキーワードの数を数えることにより、そのホームページがどの区分に分類されるかを判断することができる。そしてさらに、そのホームページの情報を、分類された区分の入力情報として記憶することができるので、既に存在しているホームページの情報も入力情報として取り入れることができる。
【０１７３】
また、請求項９に係る発明の情報提供サービスシステムでは、請求項１乃至８のいずれかに記載の発明の効果に加えて、入力画面を、入力内容毎に複数持ち、入力情報も入力内容毎に複数持つことができる。したがって、入力内容毎に適した入力画面を持つことができるので、入力しやすい入力画面を提供することができる。
【０１７４】
また、請求項１０に係る発明のサーバでは、入力手段で入力された情報である入力情報を記憶し、住所基礎情報記憶手段は、住所に関する情報である住所基礎情報を記憶し、分類基礎情報記憶手段は、地図上に表示される施設又は場所の分類に関する分類基礎情報を記憶し、キー情報記憶手段は、入力情報記憶手段に記憶された入力情報と、住所基礎情報記憶手段に記憶された住所基礎情報と、分類基礎情報記憶手段に記憶された分類基礎情報とを関連付けるキー情報を記憶し、基本情報作成手段は、キー情報記憶手段に記憶されたキー情報に基づいて、入力情報、住所基礎情報又は分類基礎情報から地図上の同一の施設又は場所に関するデータを抽出して、ユーザ端末装置へ提供する情報を作成する際に使用する情報である基本情報を作成し、基本情報記憶手段は、基本情報作成手段で作成された基本情報を記憶することができる。したがって、情報提供者から提供された入力情報と、予め記憶されている住所基礎情報又は分類基礎情報とをキー情報に基づいて、関連付けることにより基本情報を作成することができる。よって、住所基礎情報又は分類基礎情報に記憶されている項目の情報を入力情報として受け付ける必要がないため、入力する項目を減らすことができ、入力誤りも防ぐことができる。
【０１７５】
また、請求項１１に係る発明のサーバでは、請求項１０に記載の発明の効果に加えて、住所基礎情報は、住所基礎情報の個々のデータを識別する住所識別符号、住所、名称、地図上の位置を示す座標、地図上の位置を示す符号、及び、電話番号のうちの少なくとも１つを用いることができる。したがって、住所識別符号、住所、名称、地図上の位置を示す座標、地図上の位置を示す符号、及び、電話番号のうちの少なくとも１つを、入力情報と関連付けるためのキーとして使用することができる。
【０１７６】
また、請求項１２に係る発明のサーバでは、請求項１０又は１１に記載の発明の効果に加えて、分類基礎情報は、地図上に表示される施設又は場所を部類する区分を示す区分識別符号、区分の名称、区分の説明、区分に属する施設又は場所を地図上で示す際に用いられる画像データ、画像データの名称、及び、画像データの保存場所を示すデータのうちの少なくとも１つを用いることができる。したがって、区分識別符号、区分の名称、キーワード、区分に属する施設又は場所を地図上で示す際に用いられる画像データ、画像データの名称、及び、画像データの保存場所を示すデータを、入力情報と関連付けるためのキーとして使用することができる。
【０１７７】
また、請求項１３に係る発明のサーバでは、請求項１０乃至１２のいずれかに記載の発明の効果に加えて、入力情報は、データを識別するためのホームページ用データ識別符号、入力日付、施設又は場所の名称、電話番号、ホームページ用データの属する分類を示す区分の識別符号、区分の名称、提供する情報の内容、アンケートの設問番号、アンケートの質問内容及びアンケートの回答のうちの少なくとも１つを含むホームページ用入力情報、データを識別するためのアンケートデータ識別符号、アンケートを集計する際の集計区分、集計方法を示す符号、アンケートの回答、アンケートの属する分類を示す区分の識別符号、区分の名称、のうちの少なくとも１つを含むアンケート入力情報、又は、データを識別するための地図データ識別符号、地図データの属する分類を示す区分の識別符号、区分の名称、住所、電話番号、データが示す施設又は場所のホームページのＵＲＬ、ホームページの基になるデータが記憶されているホームページ用入力情報の識別符号のうちの少なくとも１つを含む地図入力情報のうちの少なくとも１つを用いることができる。したがって、入力情報の種類は１つに限らず、様々な情報を取り扱うことができる。また、入力情報は基本情報を作成するため以外の情報としても使用することができる。
【０１７８】
また、請求項１４に係る発明のサーバでは、請求項１０乃至１３のいずれかに記載の発明の効果に加えて、基本情報は、通信ネットワークに接続可能なユーザ端末装置と、地図を分割した領域に関する情報を提供するサーバとが通信ネットワークを介して接続し、サーバが、ユーザ端末装置で選択された、複数の領域に分割された地図のうちの少なくとも１つの領域を、ユーザ端末装置で選択された情報の種類に関して塗り分けられた塗り分け地図を作成し、ユーザ端末装置へ提供する塗り分け地図情報提供サービスシステムにおいて、塗り分け地図を作成する際に用いられる塗り分け地図基本情報であって、塗り分け地図基本情報の個々のデータを識別する塗り分け地図識別符号、地図上に表示される施設又は場所の名称、住所、電話暗号、施設又は場所が分類された区分を示す区分識別符号、アンケート入力情報の個別のデータを識別するためのアンケートデータ識別符号、及び、地図入力情報の個別のデータを識別するための地図データ識別符号のうちの少なくとも１つを用いることができる。したがって、サーバでは、塗り分け地図情報提供サービスシステムにおいて、塗り分け地図を作成する塗り分け地図基本情報を作成することができる。
【０１７９】
また、請求項１５に係る発明のサーバでは、請求項１０乃至１４のいずれかに記載の発明の効果に加えて、基本情報は、通信ネットワークに接続可能なユーザ端末装置と、地図と共に、地図上に表示される施設又は場所を紹介する紹介情報を提供するサーバとが通信ネットワークを介して接続した地図情報提供サービスシステムにおいて、紹介情報を作成する際に用いられる紹介基本情報であって、地図上の位置を示す座標、地図上の位置を示す符号、施設若しくは場所が分類された区分を示す分類識別符号、住所、及び、ホームページ用入力情報のホームページデータ識別符号のうちの少なくとも１つを用いることができる。したがって、情報提供サービスシステムでは、地図情報サービスシステムにおいて、紹介情報を作成する際に用いられる紹介基本情報を作成することができる。
【０１８０】
また、請求項１６に係る発明のサーバでは、請求項１０乃至１５のいずれかに記載の発明の効果に加えて、情報提供者端末装置は、通信ネットワークに接続可能であり、ユーザ端末装置へ提供する情報を入力することができる。また、入力画面情報作成手段は、情報提供者が提供する情報を入力する入力画面を生成するための入力画面情報作成し、入力画面情報送信手段は、入力画面情報作成手段で作成された入力画面情報を情報提供者端末装置へ送信し、入力データ受信手段は、情報提供者端末装置において入力画面に入力された入力データを情報提供者端末装置から受信することができる。また、入力手段は入力データ受信手段であり、入力データが入力情報として入力情報記憶手段に記憶することができる。たがって、入力情報の入力を情報提供者端末を用いて行うことができるので、サーバに直接データを入力をする必要がない。よって、サーバから離れた場所にいても、通信ネットワークに接続可能な情報提供端末から入力情報を入力することができるので、情報提供者が直接情報を入力することができる。したがって、情報提供サービスシステムの運営者の入力の手間が軽減される。また、情報提供者は手軽に入力をすることができるので、小まめな情報の更新が可能となる。さらに、運営者の手を介さないので、情報の提供から基本情報の作成、ひいては提供情報への反映までの時間が短くなる。
【０１８１】
また、請求項１７に係る発明のサーバでは、請求項１０乃至１６のいずれかに記載の発明の効果に加えて、既存ホームページ情報記憶手段は、既存のホームページのＵＲＬ、及び、ホームページに記載されている施設又は場所を含む情報である既存ホームページ情報を記憶し、キーワード計数手段は、既存ホームページ情報記憶手段に記憶されているＵＲＬのホームページに記載された文言のなかに含まれている、分類基礎情報のキーワードの数を区分毎に計数し、区分決定手段は、キーワード計数手段により計数された区分毎の数を比較し、最も計数された数が多かった区分を、ホームページの属する区分と決定し、既存ホームページ情報反映手段は、区分決定手段により決定された区分、及び、ホームページに記載されている施設又は場所の名称を、入力情報記憶手段に記憶されている入力情報に記憶させる。また、入力手段は、既存ホームページ情報反映手段とすることができる。したがって、既存のホームページの内容に含まれるキーワードの数を数えることにより、そのホームページがどの区分に分類されるかを判断することができる。そしてさらに、そのホームページの情報を、分類された区分の入力情報として記憶することができるので、既に存在しているホームページの情報も入力情報として取り入れることができる。
【０１８２】
また、請求項１８に係る発明のサーバでは、請求項１０乃至１７のいずれかに記載の発明の効果に加えて、入力画面を入力内容毎に複数持ち、入力情報も入力内容毎に複数持つことができる。したがって、入力内容毎に適した入力画面を持つことができるので、入力しやすい入力画面を提供することができる。
【図面の簡単な説明】
【図１】図１は、情報提供サービスシステムを構成する機器の構成を示すブロック図である。
【図２】図２は、サーバ５の電気的構成のブロック図である。
【図３】図３は、本発明の情報提供サービスシステムの本実施の形態における各情報の関係図である。
【図４】図４は、情報提供画面１００のイメージ図である。
【図５】図５は、ホームページ用入力画面１１０のイメージ図である。
【図６】図６は、アンケート入力画面１２０のイメージ図である。
【図７】図７は、地図情報入力画面１３０のイメージ図である。
【図８】図８は、個別ホームページ用入力データ１１１の概念図である。
【図９】図９は、個別アンケート入力データ１２１の概念図である。
【図１０】図１０は、個別地図入力データ１３１の概念図である。
【図１１】図１１は、ホームページ用入力情報１１の概念図である。
【図１２】図１２は、アンケート入力情報１２の概念図である。
【図１３】図１３は、地図入力情報１３の概念図である。
【図１４】図１４は、情報提供者端末装置３で実施される入力画面処理のフローチャートである。
【図１５】図１５は、サーバ５で実施されるサーバ側入力画面処理のフローチャートである。
【図１６】図１６は、既存ホームページ情報１１２の概念図である。
【図１７】図１７は、分類基礎情報２２の概念図である。
【図１８】図１８は、サーバ５で実施される入力情報作成処理のフローチャートである。
【図１９】図１９は、住所基礎情報２１の概念図である。
【図２０】図２０は、キー管理情報８１の概念図である。
【図２１】図２１は、紹介基本情報４１の概念図である。
【図２２】図２２は、塗り分け地図基本情報４２の概念図である。
【図２３】図２３は、基本情報作成処理のフローチャートである。
【図２４】図２４は、基本情報作成処理の中で実施されるホームページ用入力情報処理のフローチャートである。
【図２５】図２５は、基本情報作成処理の中で実施されるホームページ用入力情報処理のフローチャートであり、図２４のフローチャートの続きである。
【図２６】図２６は、基本情報作成処理の中で実施されるアンケート入力情報処理のフローチャートである。
【図２７】図２７は、基本情報作成処理の中で実施されるアンケート入力情報処理のフローチャートであり、図２６のフローチャートの続きである。
【図２８】図２８は、基本情報作成処理の中で実施される地図入力情報処理のフローチャートである。
【図２９】図２９は、基本情報作成処理の中で実施される地図入力情報処理のフローチャートであり、図２８のフローチャートの続きである。
【符号の説明】
２  インターネット
３  情報提供者端末装置
４  ユーザ端末装置
５  サーバ
１０  入力情報
１１  ホームページ用入力情報
１２  アンケート入力情報
１３  地図入力情報
２０  基礎情報
２１  住所基礎情報
２２  分類基礎情報
４０  基本情報
４１  紹介基本情報
４２  地図基本情報
５０  ＣＰＵ
５１  ＲＡＭ
５２  ＲＯＭ
５８  ハードディスク装置
８０  管理情報
８１  キー管理情報
１００  情報提供画面
１１０  ホームページ用入力画面
１１１  個別ホームページ用入力データ
１１２  既存ホームページ情報
１２０  アンケート入力画面
１２１  個別アンケート入力データ
１３０  地図情報入力画面
１３１  個別地図入力データ
５８０  入力情報記憶エリア
５８１  基礎情報記憶エリア
５８２  管理情報記憶エリア
５８３  基本情報記憶エリア
５８４  入力処理関係情報記憶エリア
５８５  地図関係情報記憶エリア
５８６  紹介地図関係情報記憶エリア
【図１】
2004362158.tif 000003
【図２】
2004362158.tif 000004
【図３】
2004362158.tif 000005
【図４】
2004362158.tif 000006
【図５】
2004362158.tif 000007
【図６】
2004362158.tif 000008
【図７】
2004362158.tif 000009
【図８】
2004362158.tif 000010
【図９】
2004362158.tif 000011
【図１０】
2004362158.tif 000012
【図１１】
2004362158.tif 000013
【図１２】
2004362158.tif 000014
【図１３】
2004362158.tif 000015
【図１４】
2004362158.tif 000016
【図１５】
2004362158.tif 000017
【図１６】
2004362158.tif 000018
【図１７】
2004362158.tif 000019
【図１８】
2004362158.tif 000020
【図１９】
2004362158.tif 000021
【図２０】
2004362158.tif 000022
【図２１】
2004362158.tif 000023
【図２２】
2004362158.tif 000024
【図２３】
2004362158.tif 000025
【図２４】
2004362158.tif 000026
【図２５】
2004362158.tif 000027
【図２６】
2004362158.tif 000028
【図２７】
2004362158.tif 000029
【図２８】
2004362158.tif 000030
【図２９】
2004362158.tif 000031